(57)【要約】【課題】コンピュータがない環境でも記録したファイルの内容を読み出す（可視化あるいは可聴化する）ことができるように情報を記録した情報記録媒体を作成できるようにする。【解決手段】出力ファイルの選択を受け付ける選択受付手順と、その手順で選択された出力ファイルが文書ファイル又は画像ファイルであった場合にそのファイルの内容をページ毎に表示する内容の動画フォーマットのデータに変換する動画作成手順と、その手順で変換された動画フォーマットデータを情報記録媒体に記録する記録手順とを実行することにより、情報記録装置によって上記出力ファイルの内容を記録した情報記録媒体を作成する。さらに、出力ファイルが文書ファイルであった場合にそこに含まれるテキスト情報を音声フォーマットのデータに変換し、記録手順でそのデータも記録するようにするとよい。【選択図】        図１
2004153299.tif 000002
【特許請求の範囲】
【請求項１】
ユーザによる出力ファイルの選択を受け付ける選択受付手順と、
該手順で選択された出力ファイルが文書ファイル又は画像ファイルであった場合に該出力ファイルの内容をページ毎に表示する内容の動画フォーマットのデータに変換する動画作成手順と、
該手順で変換された動画フォーマットのデータを情報記録媒体に記録する記録手順とをコンピュータに実行させるためのプログラム。
【請求項２】
ユーザによる出力ファイルの選択と該出力ファイルの出力先の選択とを受け付ける選択受付手順と、
該手順で出力先として情報記録媒体が選択され、かつ該手順で選択された出力ファイルが文書ファイル又は画像ファイルであった場合に、該出力ファイルの内容をページ毎に表示する内容の動画フォーマットのデータに変換する動画作成手順と、
該手順で変換された動画フォーマットのデータを前記情報記録媒体に記録する記録手順とをコンピュータに実行させるためのプログラム。
【請求項３】
前記動画作成手順は、
変換すべき出力ファイルについてのページ毎の印刷イメージの静止画データを作成する手順と、
その作成した静止画データを１フレームとして、該静止画データを複数フレーム分連続して表示させるデータを作成する手順とを含むことを特徴とする請求項１又は２記載のプログラム。
【請求項４】
請求項１乃至３のいずれか一項に記載のプログラムであって、
前記選択受付手順で選択された出力ファイルが動画フォーマットのデータを記録した動画ファイルであるかどうか判断する手順と、
該手順で該出力ファイルが動画ファイルであると判断した場合には当該出力ファイルをそのまま前記情報記録媒体に記録する手順とをコンピュータに実行させるためのプログラムをさらに含むことを特徴とするプログラム。
【請求項５】
請求項１乃至４のいずれか一項に記載のプログラムであって、
前記動画フォーマットのデータについて、該データによる動画の内容を検索するための動画検索用インデックスを作成する手順と、
該手順で作成された動画検索用インデックスを前記情報記録媒体に記録する手順とをコンピュータに実行させるためのプログラムをさらに含むことを特徴とするプログラム。
【請求項６】
前記記録手順は、前記動画作成手順で変換された動画フォーマットのデータを情報記録媒体に記録する際に、その変換前の状態の当該出力ファイルも該情報記録媒体に記録する手順をコンピュータに実行させるためのプログラムをさらに含むことを特徴とする請求項１乃至５のいずれか一項に記載のプログラム。
【請求項７】
ユーザによる出力ファイルの選択を受け付ける選択受付手順と、
該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
該手順で変換された動画フォーマットのデータを情報記録媒体に記録する記録手順とをコンピュータに実行させるためのプログラム。
【請求項８】
ユーザによる出力ファイルの選択を受け付ける選択受付手順と、
該手順で選択された出力ファイルが文書ファイル又は画像ファイルであった場合に、該出力ファイルの内容をページ毎に表示する内容の動画フォーマットのデータに変換する動画作成手順と、
該手順で変換された動画フォーマットのデータについて、前記出力ファイルの１ページ分の表示、あるいは連続する複数のページ分の表示毎に章分けを設定する章分け手順と、
該手順による章分け設定後の動画フォーマットのデータを情報記録媒体に記録する記録手順とをコンピュータに実行させるためのプログラム。
【請求項９】
ユーザによる出力ファイルの選択と該出力ファイルの出力先の選択とを受け付ける選択受付手順と、
該手順で出力先として情報記録媒体が選択され、かつ該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
該手順で変換された動画フォーマットのデータを前記情報記録媒体に記録する記録手順とをコンピュータに実行させるためのプログラム。
【請求項１０】
ユーザによる出力ファイルの選択と該出力ファイルの出力先の選択とを受け付ける選択受付手順と、
該手順で出力先として情報記録媒体が選択され、かつ該手順で選択された出力ファイルが文書ファイル又は画像ファイルであった場合に、該出力ファイルの内容をページ毎に表示する内容の動画フォーマットのデータに変換する動画作成手順と、
該手順で変換された動画フォーマットのデータについて、前記出力ファイルの１ページ分の表示、あるいは連続する複数のページ分の表示毎に章分けを設定する章分け手順と、
該手順による章分け設定後の動画フォーマットのデータを前記情報記録媒体に記録する記録手順とをコンピュータに実行させるためのプログラム。
【請求項１１】
ユーザによる出力ファイルの選択を受け付ける選択受付手順と、
該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
前記選択された出力ファイルが文書ファイルであった場合にその文書ファイルに含まれるテキスト情報を音声フォーマットのデータに変換する音声作成手順と、
前記動画作成手順で変換された動画フォーマットのデータと前記音声作成手順で変換された音声フォーマットのデータとを情報記録媒体に記録する記録手順とをコンピュータに実行させるためのプログラム。
【請求項１２】
ユーザによる出力ファイルの選択を受け付ける選択受付手順と、
該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
前記選択された出力ファイルが文書ファイルであった場合にその文書ファイルに含まれるテキスト情報を字幕データに変換する字幕作成手順と、
前記動画作成手順で変換された動画フォーマットのデータと前記字幕作成手順で変換された字幕データとを情報記録媒体に記録する記録手順とをコンピュータに実行させるためのプログラム。
【請求項１３】
ユーザによる出力ファイルの選択を受け付ける選択受付手順と、
該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
前記選択された出力ファイルが文書ファイルであった場合にその文書ファイルに含まれるテキスト情報を字幕データに変換する第１の字幕作成手順と、
前記テキスト情報を他の言語に翻訳し、その翻訳後のテキスト情報を字幕データに変換する第２の字幕作成手順と、
字幕の言語を選択するための設定画面のデータを作成する設定画面作成手順と、
前記動画作成手順で変換された動画フォーマットのデータと、前記第１及び第２の字幕作成手順で変換された字幕データと、前記設定画面作成手順で作成された設定画面のデータとを情報記録媒体に記録する記録手順とをコンピュータに実行させるためのプログラム。
【請求項１４】
ユーザによる出力ファイルの選択を受け付ける選択受付手順と、
該手順で選択された出力ファイルが文書ファイルであった場合にその文書ファイルに含まれるテキスト情報を音声フォーマットのデータに変換する音声作成手順と、
該手順で変換された音声フォーマットのデータを音楽再生用フォーマットで情報記録媒体に記録する記録手順とをコンピュータに実行させるためのプログラム。
【請求項１５】
請求項１１または１４に記載のプログラムであって、
前記音声フォーマットのデータについて、該データによる音声の内容を検索するための音声検索用インデックスを作成する手順と、
該手順で作成された音声検索用インデックスを前記情報記録媒体に記録する手順とをコンピュータに実行させるためのプログラムをさらに含むことを特徴とするプログラム。
【請求項１６】
前記記録手順は、前記音声作成手順で変換された音声フォーマットのデータを情報記録媒体に記録する際に、その変換前の状態の当該出力ファイルも該情報記録媒体に記録する手順をさらに含むことを特徴とする請求項１１，１４，１５のいずれか一項に記載のプログラム。
【請求項１７】
請求項１乃至１６のいずれか一項に記載のプログラムを記録したコンピュータ読み取り可能な記録媒体。
【請求項１８】
ユーザによる出力ファイルの選択を受け付ける選択受付手段と、
該手段で選択を受け付けた出力ファイルが文書ファイル又は画像ファイルであった場合に該出力ファイルの内容をページ毎に表示する内容の動画フォーマットのデータに変換する動画作成手段と、
該手段によって変換された動画フォーマットのデータを情報記録媒体に記録する記録手段とを設けた情報記録装置。
【請求項１９】
ユーザによる出力ファイルの選択と該出力ファイルの出力先の選択とを受け付ける選択受付手段と、
該手段で選択を受け付けた出力先が情報記録媒体であり、かつ該手段で選択を受け付けた出力ファイルが文書ファイル又は画像ファイルであった場合に、該出力ファイルの内容をページ毎に表示する内容の動画フォーマットのデータに変換する動画作成手段と、
該手段によって変換された動画フォーマットのデータを前記情報記録媒体に記録する記録手段とを設けた情報記録装置。
【請求項２０】
ユーザによる出力ファイルの選択を受け付ける選択受付手段と、
該手段で選択を受け付けた出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手段と、
該手段によって変換された動画フォーマットのデータを情報記録媒体に記録する記録手段とを設けた情報記録装置。
【請求項２１】
ユーザによる出力ファイルの選択を受け付ける選択受付手段と、
該手段で選択を受け付けた出力ファイルが文書ファイル又は画像ファイルであった場合に、該出力ファイルの内容をページ毎に表示する内容の動画フォーマットのデータに変換する動画作成手段と、
該手段によって変換された動画フォーマットのデータについて、前記出力ファイルの１ページ分の表示、あるいは連続する複数のページ分の表示毎に章分けを設定する章分け手段と、
該手段による章分け設定後の動画フォーマットのデータを情報記録媒体に記録する記録手段とを設けた情報記録装置。
【請求項２２】
ユーザによる出力ファイルの選択と該出力ファイルの出力先の選択とを受け付ける選択受付手段と、
該手段で選択を受け付けた出力先が情報記録媒体であり、かつ該手段で選択を受け付けた出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手段と、
該手段によって変換された動画フォーマットのデータを前記情報記録媒体に記録する記録手段とを設けた情報記録装置。
【請求項２３】
ユーザによる出力ファイルの選択と該出力ファイルの出力先の選択とを受け付ける選択受付手段と、
該手段で選択を受け付けた出力先が情報記録媒体であり、かつ該手段で選択を受け付けた出力ファイルが文書ファイル又は画像ファイルであった場合に、該出力ファイルの内容をページ毎に表示する内容の動画フォーマットのデータに変換する動画作成手段と、
該手段によって変換された動画フォーマットのデータについて、前記出力ファイルの１ページ分の表示、あるいは連続する複数のページ分の表示毎に章分けを設定する章分け手段と、
該手段による章分け設定後の動画フォーマットのデータを前記情報記録媒体に記録する記録手段とを設けた情報記録装置。
【請求項２４】
ユーザによる出力ファイルの選択を受け付ける選択受付手段と、
該手段で選択を受け付けた出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手段と、
前記選択された出力ファイルが文書ファイルであった場合にその文書ファイルに含まれるテキスト情報を音声フォーマットのデータに変換する音声作成手段と、
前記動画作成手段によって変換された動画フォーマットのデータと前記音声作成手段によって変換された音声フォーマットのデータとを情報記録媒体に記録する記録手段とを設けた情報記録装置。
【請求項２５】
ユーザによる出力ファイルの選択を受け付ける選択受付手段と、
該手段で選択を受け付けた出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手段と、
前記選択された出力ファイルが文書ファイルであった場合にその文書ファイルに含まれるテキスト情報を字幕データに変換する字幕作成手段と、
前記動画作成手段によって変換された動画フォーマットのデータと前記字幕作成手段によって変換された字幕データとを情報記録媒体に記録する記録手段とを設けた情報記録装置。
【請求項２６】
ユーザによる出力ファイルの選択を受け付ける選択受付手段と、
該手段で選択を受け付けた出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手段と、
前記選択された出力ファイルが文書ファイルであった場合にその文書ファイルに含まれるテキスト情報を字幕データに変換する第１の字幕作成手段と、
前記テキスト情報を他の言語に翻訳し、その翻訳後のテキスト情報を字幕データに変換する第２の字幕作成手段と、
字幕の言語を選択するための設定画面のデータを作成する設定画面作成手段と、
前記動画作成手段によって変換された動画フォーマットのデータと、前記第１及び第２の字幕作成手段によって変換された字幕データと、前記設定画面作成手段によって作成された設定画面のデータとを情報記録媒体に記録する記録手段とを設けた情報記録装置。
【請求項２７】
ユーザによる出力ファイルの選択を受け付ける選択受付手段と、
該手段で選択を受け付けた出力ファイルが文書ファイルであった場合にその文書ファイルに含まれるテキスト情報を音声フォーマットのデータに変換する音声作成手段と、
該手段によって変換された音声フォーマットのデータを音楽再生用フォーマットで情報記録媒体に記録する記録手段とを設けた情報記録装置。
【請求項２８】
ユーザによる出力ファイルの選択を受け付ける選択受付手順と、
該手順で選択された出力ファイルが文書ファイル又は画像ファイルであった場合に該出力ファイルの内容をページ毎に表示する内容の動画フォーマットのデータに変換する動画作成手順と、
該手順で変換された動画フォーマットのデータを情報記録媒体に記録する記録手順とを有することを特徴とする情報記録方法。
【請求項２９】
ユーザによる出力ファイルの選択と該出力ファイルの出力先の選択とを受け付ける選択受付手順と、
該手順で出力先として情報記録媒体が選択され、かつ該手順で選択された出力ファイルが文書ファイル又は画像ファイルであった場合に、該出力ファイルの内容をページ毎に表示する内容の動画フォーマットのデータに変換する動画作成手順と、
該手順で変換された動画フォーマットのデータを前記情報記録媒体に記録する記録手順とを有することを特徴とする情報記録方法。
【請求項３０】
ユーザによる出力ファイルの選択を受け付ける選択受付手順と、
該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
該手順で変換された動画フォーマットのデータを情報記録媒体に記録する記録手順とを有することを特徴とする情報記録方法。
【請求項３１】
ユーザによる出力ファイルの選択を受け付ける選択受付手順と、
該手順で選択された出力ファイルが文書ファイル又は画像ファイルであった場合に、該出力ファイルの内容をページ毎に表示する内容の動画フォーマットのデータに変換する動画作成手順と、
該手順で変換された動画フォーマットのデータについて、前記出力ファイルの１ページ分の表示、あるいは連続する複数のページ分の表示毎に章分けを設定する章分け手順と、
該手順による章分け設定後の動画フォーマットのデータを情報記録媒体に記録する記録手順とを有することを特徴とする情報記録方法。
【請求項３２】
ユーザによる出力ファイルの選択と該出力ファイルの出力先の選択とを受け付ける選択受付手順と、
該手順で出力先として情報記録媒体が選択され、かつ該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
該手順で変換された動画フォーマットのデータを前記情報記録媒体に記録する記録手順とを有することを特徴とする情報記録方法。
【請求項３３】
ユーザによる出力ファイルの選択と該出力ファイルの出力先の選択とを受け付ける選択受付手順と、
該手順で出力先として情報記録媒体が選択され、かつ該手順で選択された出力ファイルが文書ファイル又は画像ファイルであった場合に、該出力ファイルの内容をページ毎に表示する内容の動画フォーマットのデータに変換する動画作成手順と、
該手順で変換された動画フォーマットのデータについて、前記出力ファイルの１ページ分の表示、あるいは連続する複数のページ分の表示毎に章分けを設定する章分け手順と、
該手順による章分け設定後の動画フォーマットのデータを前記情報記録媒体に記録する記録手順とを有することを特徴とする情報記録方法。
【請求項３４】
ユーザによる出力ファイルの選択を受け付ける選択受付手順と、
該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
前記選択された出力ファイルが文書ファイルであった場合にその文書ファイルに含まれるテキスト情報を音声フォーマットのデータに変換する音声作成手順と、
前記動画作成手順で変換された動画フォーマットのデータと前記音声作成手順で変換された音声フォーマットのデータとを情報記録媒体に記録する記録手順とを有することを特徴とする情報記録方法。
【請求項３５】
ユーザによる出力ファイルの選択を受け付ける選択受付手順と、
該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
前記選択された出力ファイルが文書ファイルであった場合にその文書ファイルに含まれるテキスト情報を字幕データに変換する字幕作成手順と、
前記動画作成手順で変換された動画フォーマットのデータと前記字幕作成手順で変換された字幕データとを情報記録媒体に記録する記録手順とを有することを特徴とする情報記録方法。
【請求項３６】
ユーザによる出力ファイルの選択を受け付ける選択受付手順と、
該手順で選択された出力ファイルが文書ファイル又は画像ファイルであった場合に、該出力ファイルのページ毎の表示時間の指定を受け付け、該出力ファイルの内容をページ毎に指定された表示時間だけ表示する内容の動画フォーマットのデータに変換する動画作成手順と、
前記選択された出力ファイルが文書ファイルであった場合にその文書ファイルに含まれるテキスト情報を字幕データに変換する第１の字幕作成手順と、
前記テキスト情報を他の言語に翻訳し、その翻訳後のテキスト情報を字幕データに変換する第２の字幕作成手順と、
字幕の言語を選択するための設定画面のデータを作成する設定画面作成手順と、
前記動画作成手順で変換された動画フォーマットのデータと、前記第１及び第２の字幕作成手順で変換された字幕データと、前記設定画面作成手順で作成された設定画面のデータとを情報記録媒体に記録する記録手順とを有することを特徴とする情報記録方法。
【請求項３７】
ユーザによる出力ファイルの選択を受け付ける選択受付手順と、
該手順で選択された出力ファイルが文書ファイルであった場合にその文書ファイルに含まれるテキスト情報を音声フォーマットのデータに変換する音声作成手順と、
該手順で変換された音声フォーマットのデータを音楽再生用フォーマットで情報記録媒体に記録する記録手順とを有することを特徴とする情報記録方法。
【発明の詳細な説明】
【０００１】
【発明の属する技術分野】
この発明は、ユーザが選択した出力ファイルを情報記録媒体に記録する手順をコンピュータに実行させるためのプログラム、そのプログラムを記録したコンピュータ読み取り可能な記録媒体、ユーザが選択した出力ファイルを情報記録媒体に記録する情報記録装置、およびそのような記録を行うための情報記録方法に関する。
【０００２】
【従来の技術】
従来から、コンピュータ上で動作するワードプロセッサやグラフィックエディタ等のアプリケーションで作成した文書を出力する手段として、プリンタによる紙媒体への印刷出力が広く用いられている。このような印刷出力は、例えば特許文献１に開示されているような公知のプリンタドライバによってプリンタを駆動することによって行うことができる。
また、近年では、環境資源保護のためにペーパーレス化が進められ、また、コンピュータ上で動作するアプリケーションが扱うファイルに、文字だけでなく、音、静止画、動画までもが含まれるようになってきたことなどから、紙媒体への出力に代わる手段として、電子媒体（情報記録媒体）への記録も利用されるようになってきた。
【０００３】
このような記録に用いる情報記録媒体としては、光磁気ディスク、ＣＤ−Ｒ（Ｃｏｍｐａｃｔ  Ｄｉｓｃ−Ｒｅｃｏｒｄａｂｌｅ），ＣＤ−ＲＷ（Ｃｏｍｐａｃｔ  Ｄｉｓｃ−Ｒｅｗｒｉｔａｂｌｅ），ＤＶＤ−Ｒ（Ｄｉｇｉｔａｌ  Ｖｅｒｓａｔｉｌｅ  Ｄｉｓｋ−Ｒｅｃｏｒｄａｂｌｅ），ＤＶＤ−ＲＷ（Ｄｉｇｉｔａｌ  Ｖｅｒｓａｔｉｌｅ  Ｄｉｓｋ−Ｒｅｗｒｉｔａｂｌｅ），ＤＶＤ−ＲＡＭ（Ｄｉｇｉｔａｌ  Ｖｅｒｓａｔｉｌｅ  Ｄｉｓｋ−Ｒａｎｄｏｍ  Ａｃｃｅｓｓ  Ｍｅｍｏｒｙ），ＤＶＤ＋ＲＷ（Ｄｉｇｉｔａｌ  Ｖｅｒｓａｔｉｌｅ  Ｄｉｓｋ  ＋  Ｒｅｗｒｉｔａｂｌｅ）等が知られており、コンピュータによるこれらの媒体へのファイルの出力としては、例えば特許文献２に開示されているような公知のデバイスドライバを用いて、コンピュータのオペレーティングシステムが認識するファイルシステム形式で記録することが行われている。
このようにファイルを記録した情報記録媒体を作成することにより、紙媒体への印刷出力の場合よりも多くの情報をコンパクトに記録でき、また、印刷出力の不可能な動画等の情報の記録も行うことができる。
【０００４】
【特許文献１】
特開平１１−１１９９３４号公報
【特許文献２】
特開平８−３６４６８号公報
【０００５】
【発明が解決しようとする課題】
しかしながら、このようにファイルを記録して作成した情報記録媒体では、そこに記録したファイルの内容を読む（可視化する）ためにはコンピュータが必要であり、さらに、そのコンピュータにファイルを扱うアプリケーションが備えられている必要もある。従って、印刷出力した場合の紙媒体のような、どこでも読めるという可搬性はないという問題があった。
また、ユーザがコンピュータに記録（出力）を指示する操作も、紙媒体への印刷の場合と電子媒体への記録の場合とで大きく異なるのが現状であり、情報記録媒体への記録を紙媒体への印刷の代替手段として用いる場合の妨げとなっているという問題もあった。
【０００６】
この発明は、このような問題を解決し、コンピュータがない環境でも記録したファイルの内容を読み出す（可視化あるいは可聴化する）ことができるように情報を記録した情報記録媒体を作成できるようにすることを目的とする。またその際に、紙媒体への出力と同等の操作によって情報記録媒体を作成できるようにすることも目的とする。
【０００７】
【課題を解決するための手段】
上記の目的を達成するため、この発明のプログラムは、ユーザによる出力ファイルの選択を受け付ける選択受付手順と、その手順で選択された出力ファイルが文書ファイル又は画像ファイルであった場合にその出力ファイルの内容をページ毎に表示する内容の動画フォーマットのデータに変換する動画作成手順と、その手順で変換された動画フォーマットのデータを情報記録媒体に記録する記録手順とをコンピュータに実行させるようにしたものである。
【０００８】
あるいは、ユーザによる出力ファイルの選択とその出力ファイルの出力先の選択とを受け付ける選択受付手順と、その手順で出力先として情報記録媒体が選択され、かつその手順で選択された出力ファイルが文書ファイル又は画像ファイルであった場合に、その出力ファイルの内容をページ毎に表示する内容の動画フォーマットのデータに変換する動画作成手順と、その手順で変換された動画フォーマットのデータを上記情報記録媒体に記録する記録手順とをコンピュータに実行させるようにしたものである。
【０００９】
このようなプログラムにおいて、上記動画作成手順が、変換すべき出力ファイルについてのページ毎の印刷イメージの静止画データを作成する手順と、その作成した静止画データを１フレームとして、その静止画データを複数フレーム分連続して表示させるデータを作成する手順とを含むようにするとよい。
また、上記選択受付手順で選択された出力ファイルが動画フォーマットのデータを記録した動画ファイルであるかどうか判断する手順と、その手順でその出力ファイルが動画ファイルであると判断した場合にはその出力ファイルをそのまま上記情報記録媒体に記録する手順とをコンピュータに実行させるためのプログラムをさらに含むようにするとよい。
【００１０】
さらに、上記動画フォーマットデータについて、そのデータによる動画の内容を検索するための動画検索用インデックスを作成する手順と、その手順で作成された動画検索用インデックスを上記情報記録媒体に記録する手順とをコンピュータに実行させるためのプログラムをさらに含むようにするとよい。
また、上記記録手順が、上記動画作成手順によって変換された動画フォーマットデータを情報記録媒体に記録する際に、その変換前の状態の出力ファイルもその情報記録媒体に記録する手順をコンピュータに実行させるためのプログラムをさらに含むようにするとよい。
【００１１】
また、この発明のプログラムは、ユーザによる出力ファイルの選択を受け付ける選択受付手順と、その手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、その手順で変換された動画フォーマットのデータを情報記録媒体に記録する記録手順とをコンピュータに実行させるようにしたものである。
【００１２】
あるいは、ユーザによる出力ファイルの選択を受け付ける選択受付手順と、その手順で選択された出力ファイルが文書ファイル又は画像ファイルであった場合に、その出力ファイルの内容をページ毎に表示する内容の動画フォーマットのデータに変換する動画作成手順と、その手順で作成した動画フォーマットのデータについて、上記出力ファイルの１ページ分の表示、あるいは連続する複数のページ分の表示毎に章分けを設定する章分け手順と、その手順による章分け設定後の動画フォーマットのデータを情報記録媒体に記録する記録手順とをコンピュータに実行させるようにしたものである。
【００１３】
あるいは、ユーザによる出力ファイルの選択とその出力ファイルの出力先の選択とを受け付ける選択受付手順と、その手順で出力先として情報記録媒体が選択され、かつその手順で選択された出力ファイルが文書ファイル又は画像ファイルであった場合に、その出力ファイルのページ毎の表示時間の指定を受け付け、該出力ファイルの内容をページ毎に指定された表示時間だけ表示する内容の動画フォーマットのデータに変換する動画作成手順と、その手順で変換された動画フォーマットのデータを上記情報記録媒体に記録する記録手順とをコンピュータに実行させるようにしたものである。
【００１４】
あるいはまた、ユーザによる出力ファイルの選択とその出力ファイルの出力先の選択とを受け付ける選択受付手順と、その手順で出力先として情報記録媒体が選択され、かつその手順で選択された出力ファイルが文書ファイル又は画像ファイルであった場合に、その出力ファイルの内容をページ毎に表示する内容の動画フォーマットのデータに変換する動画作成手順と、その手順で作成した動画フォーマットのデータについて、上記出力ファイルの１ページ分の表示、あるいは連続する複数のページ分の表示毎に章分けを設定する章分け手順と、その手順による章分け設定後の動画フォーマットのデータを上記情報記録媒体に記録する記録手順とをコンピュータに実行させるようにしたものである。
【００１５】
さらにまた、この発明のプログラムは、ユーザによる出力ファイルの選択を受け付ける選択受付手順と、その手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、上記選択された出力ファイルが文書ファイルであった場合にその文書ファイルに含まれるテキスト情報を音声フォーマットのデータに変換する音声作成手順と、上記動画作成手順で変換された動画フォーマットのデータと上記音声作成手順で変換された音声フォーマットのデータとを情報記録媒体に記録する記録手順とをコンピュータに実行させるようにしたものである。
【００１６】
あるいは、ユーザによる出力ファイルの選択を受け付ける選択受付手順と、その手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、上記選択された出力ファイルが文書ファイルであった場合にその文書ファイルに含まれるテキスト情報を字幕データに変換する字幕作成手順と、上記動画作成手順で変換された動画フォーマットのデータと上記字幕作成手順で変換された字幕データとを情報記録媒体に記録する記録手順とをコンピュータに実行させるようにしたものである。
【００１７】
あるいは、ユーザによる出力ファイルの選択を受け付ける選択受付手順と、その手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、上記選択された出力ファイルが文書ファイルであった場合にその文書ファイルに含まれるテキスト情報を字幕データに変換する第１の字幕作成手順と、上記テキスト情報を他の言語に翻訳し、その翻訳後のテキスト情報を字幕データに変換する第２の字幕作成手順と、字幕の言語を選択するための設定画面のデータを作成する設定画面作成手順と、上記動画作成手順で変換された動画フォーマットのデータと、上記第１及び第２の字幕作成手順で変換された字幕データと、上記設定画面作成手順で作成された設定画面のデータとを情報記録媒体に記録する記録手順とをコンピュータに実行させるようにしたものである。
【００１８】
あるいはまた、ユーザによる出力ファイルの選択を受け付ける選択受付手順と、その手順で選択された出力ファイルが文書ファイルであった場合にその文書ファイルに含まれるテキスト情報を音声フォーマットのデータに変換する音声作成手順と、その手順で変換された音声フォーマットのデータを音楽再生用フォーマットで情報記録媒体に記録する記録手順とをコンピュータに実行させるようにしたものである。
【００１９】
これらのプログラムにおいて、上記音声フォーマットのデータについて、そのデータによる音声の内容を検索するための音声検索用インデックスを作成する手順と、その手順で作成された音声検索用インデックスを上記情報記録媒体に記録する手順とをコンピュータに実行させるためのプログラムをさらに含むようにするとよい。
さらに、上記記録手順が、上記音声作成手順で変換された音声フォーマットのデータを情報記録媒体に記録する際に、その変換前の状態のその出力ファイルもその情報記録媒体に記録する手順をさらに含むようにするとよい。
この発明はまた、上記のプログラムを記録したコンピュータ読み取り可能な記録媒体も提供する。
【００２０】
また、この発明の情報記録装置は、ユーザによる出力ファイルの選択を受け付ける選択受付手段と、その手段で選択を受け付けた出力ファイルが文書ファイル又は画像ファイルであった場合にその出力ファイルの内容をページ毎に表示する内容の動画フォーマットのデータに変換する動画作成手段と、その手段によって変換された動画フォーマットのデータを情報記録媒体に記録する記録手段とを設けたものである。
【００２１】
あるいは、ユーザによる出力ファイルの選択とその出力ファイルの出力先の選択とを受け付ける選択受付手段と、その手段で選択を受け付けた出力先が情報記録媒体であり、かつその手段で選択を受け付けた出力ファイルが文書ファイル又は画像ファイルであった場合に、その出力ファイルの内容をページ毎に表示する内容の動画フォーマットのデータに変換する動画作成手段と、その手段によって変換された動画フォーマットのデータを上記情報記録媒体に記録する記録手段とを設けたものである。
【００２２】
あるいはまた、ユーザによる出力ファイルの選択を受け付ける選択受付手段と、その手段で選択を受け付けた出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手段と、その手段によって変換された動画フォーマットのデータを情報記録媒体に記録する記録手段とを設けたものである。
【００２３】
あるいは、ユーザによる出力ファイルの選択を受け付ける選択受付手段と、その手段で選択を受け付けた出力ファイルが文書ファイル又は画像ファイルであった場合に、その出力ファイルの内容をページ毎に表示する内容の動画フォーマットのデータに変換する動画作成手段と、その手段によって変換された動画フォーマットのデータについて、上記出力ファイルの１ページ分の表示、あるいは連続する複数のページ分の表示毎に章分けを設定する章分け手段と、その手段による章分け設定後の動画フォーマットのデータを情報記録媒体に記録する記録手段とを設けたものである。
【００２４】
あるいはまた、ユーザによる出力ファイルの選択とその出力ファイルの出力先の選択とを受け付ける選択受付手段と、その手段で選択を受け付けた出力先が情報記録媒体であり、かつその手段で選択を受け付けた出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手段と、その手段によって変換された動画フォーマットのデータを上記情報記録媒体に記録する記録手段とを設けたものである。
【００２５】
あるいは、ユーザによる出力ファイルの選択とその出力ファイルの出力先の選択とを受け付ける選択受付手段と、その手段で選択を受け付けた出力先が情報記録媒体であり、かつその手段で選択を受け付けた出力ファイルが文書ファイル又は画像ファイルであった場合に、その出力ファイルの内容をページ毎に表示する内容の動画フォーマットのデータに変換する動画作成手段と、その手段によって変換された動画フォーマットのデータについて、上記出力ファイルの１ページ分の表示、あるいは連続する複数のページ分の表示毎に章分けを設定する章分け手段と、その手段による章分け設定後の動画フォーマットのデータを上記情報記録媒体に記録する記録手段とを設けたものである。
【００２６】
あるいはまた、ユーザによる出力ファイルの選択を受け付ける選択受付手段と、その手段で選択を受け付けた出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手段と、上記選択された出力ファイルが文書ファイルであった場合にその文書ファイルに含まれるテキスト情報を音声フォーマットのデータに変換する音声作成手段と、上記動画作成手段によって変換された動画フォーマットのデータと上記音声作成手段によって変換された音声フォーマットのデータとを情報記録媒体に記録する記録手段とを設けたものである。
【００２７】
あるいは、ユーザによる出力ファイルの選択を受け付ける選択受付手段と、その手段で選択を受け付けた出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手段と、上記選択された出力ファイルが文書ファイルであった場合にその文書ファイルに含まれるテキスト情報を字幕データに変換する字幕作成手段と、上記動画作成手段によって変換された動画フォーマットのデータと上記字幕作成手段によって変換された字幕データとを情報記録媒体に記録する記録手段とを設けたものである。
【００２８】
あるいはまた、ユーザによる出力ファイルの選択を受け付ける選択受付手段と、その手段で選択を受け付けた出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手段と、上記選択された出力ファイルが文書ファイルであった場合にその文書ファイルに含まれるテキスト情報を字幕データに変換する第１の字幕作成手段と、上記テキスト情報を他の言語に翻訳し、その翻訳後のテキスト情報を字幕データに変換する第２の字幕作成手段と、字幕の言語を選択するための設定画面のデータを作成する設定画面作成手段と、上記動画作成手段によって変換された動画フォーマットのデータと、上記第１及び第２の字幕作成手段によって変換された字幕データと、上記設定画面作成手段によって作成された設定画面のデータとを情報記録媒体に記録する記録手段とを設けたものである。
【００２９】
あるいは、ユーザによる出力ファイルの選択を受け付ける選択受付手段と、その手段で選択を受け付けた出力ファイルが文書ファイルであった場合にその文書ファイルに含まれるテキスト情報を音声フォーマットのデータに変換する音声作成手段と、その手段によって変換された音声フォーマットのデータを音楽再生用フォーマットで情報記録媒体に記録する記録手段とを設けたものである。
【００３０】
また、この発明の情報記録方法は、ユーザによる出力ファイルの選択を受け付ける選択受付手順と、その手順で選択された出力ファイルが文書ファイル又は画像ファイルであった場合にその出力ファイルの内容をページ毎に表示する内容の動画フォーマットのデータに変換する動画作成手順と、その手順で変換された動画フォーマットのデータを情報記録媒体に記録する記録手順とを有するものである。
【００３１】
あるいは、ユーザによる出力ファイルの選択とその出力ファイルの出力先の選択とを受け付ける選択受付手順と、その手順で出力先として情報記録媒体が選択され、かつその手順で選択された出力ファイルが文書ファイル又は画像ファイルであった場合に、その出力ファイルの内容をページ毎に表示する内容の動画フォーマットのデータに変換する動画作成手順と、その手順で変換された動画フォーマットのデータを上記情報記録媒体に記録する記録手順とを有するものである。
【００３２】
あるいはまた、ユーザによる出力ファイルの選択を受け付ける選択受付手順と、その手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、その手順で変換された動画フォーマットのデータを情報記録媒体に記録する記録手順とを有するものである。
【００３３】
あるいは、ユーザによる出力ファイルの選択を受け付ける選択受付手順と、その手順で選択された出力ファイルが文書ファイル又は画像ファイルであった場合に、その出力ファイルの内容をページ毎に表示する内容の動画フォーマットのデータに変換する動画作成手順と、その手順で変換された動画フォーマットのデータについて、上記出力ファイルの１ページ分の表示、あるいは連続する複数のページ分の表示毎に章分けを設定する章分け手順と、その手順による章分け設定後の動画フォーマットのデータを情報記録媒体に記録する記録手順とを有するものである。
【００３４】
あるいはまた、ユーザによる出力ファイルの選択とその出力ファイルの出力先の選択とを受け付ける選択受付手順と、その手順で出力先として情報記録媒体が選択され、かつその手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、その手順で変換された動画フォーマットのデータを上記情報記録媒体に記録する記録手順とを有するものである。
【００３５】
あるいは、ユーザによる出力ファイルの選択とその出力ファイルの出力先の選択とを受け付ける選択受付手順と、その手順で出力先として情報記録媒体が選択され、かつその手順で選択された出力ファイルが文書ファイル又は画像ファイルであった場合に、その出力ファイルの内容をページ毎に表示する内容の動画フォーマットのデータに変換する動画作成手順と、その手順で変換された動画フォーマットのデータについて、上記出力ファイルの１ページ分の表示、あるいは連続する複数のページ分の表示毎に章分けを設定する章分け手順と、その手順による章分け設定後の動画フォーマットのデータを上記情報記録媒体に記録する記録手順とを有するものである。
【００３６】
あるいはまた、ユーザによる出力ファイルの選択を受け付ける選択受付手順と、その手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、上記選択された出力ファイルが文書ファイルであった場合にその文書ファイルに含まれるテキスト情報を音声フォーマットのデータに変換する音声作成手順と、上記動画作成手順で変換された動画フォーマットのデータと上記音声作成手順で変換された音声フォーマットのデータとを情報記録媒体に記録する記録手順とを有するものである。
【００３７】
あるいは、ユーザによる出力ファイルの選択を受け付ける選択受付手順と、その手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、上記選択された出力ファイルが文書ファイルであった場合にその文書ファイルに含まれるテキスト情報を字幕データに変換する字幕作成手順と、上記動画作成手順で変換された動画フォーマットのデータと上記字幕作成手順で変換された字幕データとを情報記録媒体に記録する記録手順とを有するものである。
【００３８】
あるいはまた、ユーザによる出力ファイルの選択を受け付ける選択受付手順と、その手順で選択された出力ファイルが文書ファイル又は画像ファイルであった場合に、その出力ファイルのページ毎の表示時間の指定を受け付け、その出力ファイルの内容をページ毎に指定された表示時間だけ表示する内容の動画フォーマットのデータに変換する動画作成手順と、上記選択された出力ファイルが文書ファイルであった場合にその文書ファイルに含まれるテキスト情報を字幕データに変換する第１の字幕作成手順と、上記テキスト情報を他の言語に翻訳し、その翻訳後のテキスト情報を字幕データに変換する第２の字幕作成手順と、字幕の言語を選択するための設定画面のデータを作成する設定画面作成手順と、上記動画作成手順で変換された動画フォーマットのデータと、上記第１及び第２の字幕作成手順で変換された字幕データと、上記設定画面作成手順で作成された設定画面のデータとを情報記録媒体に記録する記録手順とを有するものである。
【００３９】
あるいは、ユーザによる出力ファイルの選択を受け付ける選択受付手順と、その手順で選択された出力ファイルが文書ファイルであった場合にその文書ファイルに含まれるテキスト情報を音声フォーマットのデータに変換する音声作成手順と、その手順で変換された音声フォーマットのデータを音楽再生用フォーマットで情報記録媒体に記録する記録手順とを有するものである。
【００４０】
【発明の実施の形態】
以下、この発明の好ましい実施の形態を図面を参照して説明する。
〔第１の実施形態：図１乃至図４，図１６，図１７〕
まず、この発明のプログラム、情報記録装置及び情報記録方法の第１の実施形態について説明する。
図１はそのプログラムがコンピュータに実行させる処理の手順を示すフローチャート、図２はそのプログラムの構成を示す図、図３はそのプログラムを実行するコンピュータを備えた情報記録装置の構成例を示す図、図４はそのプログラムによる処理中の、文書ファイルの動画フォーマットデータへの変換処理について説明するための図、図１６は図３に示した情報記録装置を構成するＤＶＤ＋ＲＷドライブの構成を示すブロック図、図１７は同じくＰＣの構成を示すブロック図である。
【００４１】
この実施形態のプログラムは、パーソナルコンピュータ（ＰＣ）等のコンピュータを以下の各手段として機能させ、以下の各手順からなるこの実施形態の情報記録方法に係る処理を実行させるための記録プログラムである。なおここでは、図３に示すようなＰＣ１及びそこに接続されたＤＶＤ＋ＲＷドライブ２によって構成される情報記録装置２００によって情報記録媒体である円盤状のＤＶＤ＋ＲＷメディア３に記録を行わせる動作を例にとって、このプログラムによって実行させる処理について説明する。なお、ＤＶＤ＋ＲＷドライブ２は、ネットワークを介してＰＣ１に接続されたものでもよい。
【００４２】
まず、この実施形態の情報記録装置のハードウェア構成について説明する。
この情報記録装置は、上述したように、ＰＣ１及びそこに接続されたＤＶＤ＋ＲＷドライブ２によって構成され、ＰＣ１によってＤＶＤ＋ＲＷドライブ２の動作を制御して円盤状のＤＶＤ＋ＲＷメディア３に対して情報の記録再生を行う装置である。そして、そのＤＶＤ＋ＲＷドライブ２の構成は、図１６に示すものである。
すなわち、スピンドルモータ２０２，光ピックアップ２０３，モータドライバ２０４，リードアンプ２０５，サーボ手段２０６，ＤＶＤデコーダ２０７，ＡＤＩＰデコーダ２０８，レーザコントローラ２０９，ＤＶＤエンコーダ２１０，ＤＶＤ−ＲＯＭエンコーダ２１１，バッファＲＡＭ２１２，バッファマネージャ２１３，ＤＶＤ−ＲＯＭデコーダ２１４，インタフェース２１５，Ｄ／Ａコンバータ２１６，ＲＯＭ２１７，ＣＰＵ２１８，ＲＡＭ２１９を備えている。また、図１６において、ＬＢはレーザ光、Ａｕｄｉｏはオーディオ出力信号を示す。
【００４３】
この図１６において、矢印はデータが主に流れる方向を示しており、また、図を簡略化するために、各部を制御するＣＰＵ２１８から各部への制御線は、図示を省略している。ＲＯＭ２１７には、ＣＰＵ２１８にて解読可能なコードで記述された制御プログラムが格納されている。そして、このＤＶＤ＋ＲＷドライブ２の電源がオン状態になると、ＲＯＭ２１７に格納されているプログラムは不図示のメインメモリにロードされ、ＣＰＵ２１８はそのプログラムに従って上記各部の動作を制御するとともに、制御に必要なデータ等を一時的にＲＡＭ２１９に記憶させる。
【００４４】
ＣＰＵ２１８の制御に従ったＤＶＤ＋ＲＷドライブ２の構成と動作は、次のとおりである。ＤＶＤ＋ＲＷメディア３は、スピンドルモータ２０２によって回転駆動される。そしてこのスピンドルモータ２０２は、モータドライバ２０４とサーボ手段２０６により、線速度または角速度が一定になるように制御される。この線速度又は角速度は、段階的に変更することが可能である。
一方光ピックアップ２０３は、図示されない半導体レーザ，光学系，フォーカスアクチュエータ，トラックアクチュエータ，受光素子およびポジションセンサを内蔵しており、レーザ光ＬＢをＤＶＤ＋ＲＷメディア３に照射する。また、この光ピックアップ２０３は、シークモータによってスレッジ方向への移動が可能である。これらのフォーカスアクチュエータ，トラックアクチュエータ，シークモータは、受光素子とポジションセンサから得られる信号に基づいて、モータドライバ２０４とサーボ手段２０６により、レーザ光ＬＢのスポットがＤＶＤ＋ＲＷメディア３上の目的の場所に位置するように制御される。
【００４５】
そして再生（リード）時には、光ピックアップ２０３によって得られた再生信号が、リードアンプ２０５で増幅されて２値化された後、ＤＶＤデコーダ２０７に入力される。入力された２値化データは、このＤＶＤデコーダ２０７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００４６】
復調されたデータは、デインタリーブとエラー訂正の処理が行われる。その後、このデータは、ＤＶＤ−ＲＯＭデコーダ２１４へ入力され、データの信頼性を高めるために、さらに、エラー訂正の処理が行われる。このように２回のエラー訂正の処理が行われたデータは、バッファマネージャ２１３によって一旦バッファＲＡＭ２１２に蓄えられ、セクタデータとして揃った状態で、ＡＴＡＰＩ（ＡＴＡｔｔａｃｈｍｅｎｔ  Ｐａｃｋｅｔ  Ｉｎｔｅｒｆａｃｅ）やＳＣＳＩ（Ｓｍａｌｌ  Ｃｏｍｐｕｔｅｒ  Ｓｙｓｔｅｍ  Ｉｎｔｅｒｆａｃｅ）によるインタフェース２１５を介して、ホストコンピュータとなるＰＣ１へ一気に転送される。なお、音楽データの場合には、ＤＶＤデコーダ２０７から出力されたデータが、Ｄ／Ａコンバータ２１６へ入力され、アナログのオーディオ出力信号Ａｕｄｉｏとして取り出される。
【００４７】
また、記録（ライト）時には、インタフェース２１５を通してＰＣ１から送られてきたデータは、バッファマネージャ２１３によって一旦バッファＲＡＭ２１２に蓄えられる。その後ライト動作が開始されるが、この場合には、その前にレーザスポットを書き込み開始地点に位置させる必要がある。この地点は、予めＤＶＤ＋ＲＷメディア３上にトラックの蛇行により刻まれているウォブル信号によって求められる。
このウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ２０８によって取り出される。また、このＡＤＩＰデコーダ２０８によって生成される同期信号は、ＤＶＤエンコーダ２１０へ入力され、ＤＶＤ＋ＲＷメディア３上の正確な位置へのデータの書き込みを可能にしている。バッファＲＡＭ２１２のデータは、ＤＶＤ−ＲＯＭエンコーダ２１１やＤＶＤエンコーダ２１０において、エラー訂正コードの付加やインタリーブが行われ、レーザコントローラ２０９、光ピックアップ２０３を介して、ＤＶＤ＋ＲＷメディア３に記録される。
【００４８】
また、このようなＤＶＤ＋ＲＷドライブ２と接続されるＰＣ１の構成は図１７に示すものである。すなわち、入力装置１２１，主制御装置１２２，表示装置１２３，記録装置１２４，インタフェース１２５を備えている。
主制御装置１２１は、ＣＰＵを含むマイクロコンピュータ、メインメモリ（いずれも不図示）などを含んで構成され、ＰＣ１の全体を制御する。また、記録装置１２４等に記録された各種プログラムを実行することにより、後述する各手段として機能する。
【００４９】
そして、インタフェース１２５は、ＤＶＤ＋ＲＷドライブ２との双方向の通信インタフェースであり、ＤＶＤ＋ＲＷドライブ２側のインタフェース２１５と対応して、ＡＴＡＰＩ及びＳＣＳＩ等の標準インタフェースに準拠している。そして、インタフェース１２５はＤＶＤ＋ＲＷドライブ２側のインタフェース２１５と接続されている。なお、各インタフェース間の接続形態は、通信ケーブル（例えばＳＣＳＩケーブル）などの通信線を用いたケーブル接続だけでなく、赤外線などを利用したワイヤレス接続であっても良い。
【００５０】
記録装置１２４は、ハードディスクドライブ（ＨＤＤ）等によって構成され、主制御装置１２２のマイクロコンピュータで解読可能なコードで記述されたプログラムが格納されている。このプログラムには、後述する記録プログラム１０も含まれるが、このプログラムをＰＣ１の内部に記憶することは必須ではない。なお、ＰＣ１の駆動電源がオン状態になると、必要なプログラムが主制御装置のメインメモリにロードされる。
表示装置１２３は、例えばＣＲＴ（Ｃａｔｈｏｄｅ  Ｒａｙ  Ｔｕｂｅ）、液晶ディスプレイ（ＬＣＤ）、あるいはプラズマディスプレイパネル（ＰＤＰ）等を備え、主制御装置１２２からの制御によって各種情報を表示する。
【００５１】
入力装置１２１は、例えばキーボード、マウス及びポインティングデバイスなどのうち少なくとも１つの入力媒体を備え、ユーザからの操作や指示を受け付けてその情報を主制御装置に通知する。なお、入力媒体からの情報はワイヤレス方式で入力されても良い。また、表示装置１２３と入力装置１２１とが一体化したものとして、例えばタッチパネル付きＣＲＴ等を用いてもよい。
また、ＰＣ１はオペレーティングシステム（ＯＳ）を搭載している。そして、ＰＣ１を構成する全てのデバイスはＯＳによって管理されているものとする。
【００５２】
次に、この実施形態のプログラムについて説明する。
この実施形態のプログラムである記録プログラム１０は、図２に示すように、ユーザインタフェース部１１、ファイル種類判断部１２、動画フォーマットデータ変換部１３、動画検索用インデックス作成部１４、書き込みデータ作成部１５、データ送信部１６からなっており、ＰＣ１によってＤＶＤ＋ＲＷドライブ２の制御を行わせるためのデバイスドライバプログラムである。
【００５３】
この記録プログラム１０が起動されると、ＰＣ１は、図１のフローチャートに示すこの実施形態の情報記録方法に係る動作を開始し、まずステップＳ１でユーザによる出力ファイルの選択を受け付ける選択受付手順を実行する。この処理は、ユーザインタフェース部１１による動作であり、この手順では、グラフィカルユーザインタフェース（ＧＵＩ）を表示し、ＤＶＤ＋ＲＷメディア３に記録したいファイルをユーザに選択させる。この選択は、ツリー形式又は一覧形式に表示した出力可能文書（ファイル）から選択させたり、アイコンとして表示した文書に対するマウスによるドラッグアンドドロップ操作によって選択させたりすることによって行うことができる。
ここで、ＤＶＤ＋ＲＷメディア３に記録するファイルとして選択できるのは、文字，表，図等のデータを記録した文書ファイル、画像データを記録した画像ファイル、動画フォーマットのデータを記録した動画ファイルであるとする。
この選択受付手順においては、ＰＣ１の主制御装置１２２が選択受付手段として機能する。
【００５４】
次に、ステップＳ２で選択された出力ファイルが動画フォーマットのデータを記録した動画ファイルか否かを判断する。この判断は、例えば、選択されたファイルの拡張子が「ａｖｉ」、「ｍｐｇ」等の、予め動画ファイルを示す拡張子として登録されているものと一致するかどうかによって行うことができる。この処理は、ファイル種類判断部１２による動作である。
ステップＳ２で動画ファイルでなければ、すなわち文書ファイルあるいは画像ファイルであれば、ステップＳ３に進んで、出力ファイルを、出力ファイルの内容をページ毎に表示する動画フォーマットのデータに変換する。この動画フォーマットとしては例えばＭＰＥＧ（Ｍｏｖｉｎｇ  Ｐｉｃｔｕｒｅ  Ｅｘｐｅｒｔｓ  Ｇｒｏｕｐ）２フォーマットを使用することができる。この処理は、動画フォーマットデータ変換部１３による動作である。
【００５５】
ここで、動画フォーマットのデータへの変換方法について説明する。
文書ファイルあるいは画像ファイルは、プリンタ等で印刷出力する場合には、ページ毎に印刷して出力することになる。そこで、図４に３ページの文書ファイルを動画フォーマットのデータに変換する例を示しているように、各ページを印刷する場合の印刷イメージを動画中の１枚の静止画（１フレーム）に変換する。
この１フレームは動画中では例えば１／３０秒間の表示内容に相当する。そして、各ページの静止画を複数フレーム分連続して表示させるような、すなわち一定時間連続して表示させるようなデータを生成する。さらにこれらのデータをマージ（結合）して一つの動画フォーマットのデータを生成することにより、元の文書ファイルを、その内容をページ毎に一定時間表示する動画フォーマットのデータに変換することができる。
なお、各ページの内容を表示する時間については、予め設定しておくようにしても、ファイルの選択時等にユーザに設定させるようにしてもよい。
以上のステップＳ２及びＳ３の処理が、動画作成手順の処理である。この動画作成手順においては、主制御装置１２２が動画作成手段として機能する。
【００５６】
ステップＳ３の処理の終了後、あるいはステップＳ２で動画フォーマットのファイルであった場合には、ステップＳ４に進み、ステップＳ３で作成したかあるいはステップＳ１で選択された動画フォーマットのデータについて、そのデータによる動画の内容を検索するための動画検索用インデックスの作成処理を行う。この処理は、動画検索用インデックス作成部１４による動作である。
動画検索用インデックスのデータは、例えばＭＰＥＧ７規格に従って後付けの動的インデックス情報として作成することができる。また、動画検索用インデックスの作成は、自動で行ってもよいし、ＧＵＩを表示してユーザからの指示を受け付け、その指示に従って行うようにしてもよい。自動で作成する場合には、例えば、ステップＳ３の変換によって生成したデータについて作成する場合には、ページの切り替わりの位置に表示内容が変わるというイベントデータを付加し、これをインデックスデータとして登録するようにするとよい。
【００５７】
次に、ステップＳ５で、出力ファイルとして選択されるかあるいはステップＳ３の変換によって生成された動画フォーマットのデータを、ＤＶＤ再生用アプリケーション（ＤＶＤ再生装置による再生）に対応したフォーマットのデータに変換する。このフォーマットとしては、例えばＤＶＤ−Ｖｉｄｅｏフォーマットを用いることができる。
【００５８】
そして、ステップＳ６で、ステップＳ５の変換で生成したデータ、ステップＳ４で作成した動画検索用インデックスのデータ及び、ステップＳ１で選択された出力ファイルのデータを、ＤＶＤ＋ＲＷメディア３に書き込むための論理フォーマットのデータに変換する。この論理フォーマットとしては、例えばＵＤＦ（Ｕｎｉｖｅｒｓａｌ  Ｄｉｓｋ  Ｆｏｒｍａｔ）Ｖｅｒ．１．０２フォーマットを用いることができる。なお、この処理で変換する出力ファイルは、ステップＳ３における動画フォーマットのデータへの変換前の状態の元データである。
これらのステップＳ５及びステップＳ６の処理は、書き込みデータ作成部１５による動作である。
【００５９】
その後、ステップＳ７で、ステップＳ６の変換で生成したデータをＤＶＤ＋ＲＷドライブ２に送信し、ＤＶＤ＋ＲＷドライブ２を駆動してそのデータをＤＶＤ＋ＲＷメディア３に書き込ませて終了する。この処理は、データ送信部１６による動作である。また、ステップＳ５乃至Ｓ７の処理が、記録手順の処理である。この記録手順においては、主制御装置１２２及びＤＶＤ＋ＲＷドライブ２が記録手段として機能する。
【００６０】
従って、この記録プログラム１０によれば、ＰＣ１に、ユーザが選択した出力ファイルを、その出力ファイルが文書ファイル又は画像ファイルである場合にはその内容をページ毎に一定時間表示する動画データとしてＤＶＤ＋ＲＷメディア３に記録する処理を行わせることができる。また、この実施形態の情報記録装置によれば、この実施形態の情報記録方法を実行することにより、ユーザが選択した出力ファイルを上記のように記録することができる。そして、この動画データは、民生用のＤＶＤ再生装置で再生可能なフォーマットで記録されているので、この処理によって作成されたＤＶＤ＋ＲＷメディア３は、ＰＣ１等のコンピュータがない環境でもＤＶＤ再生装置によって再生可能であり、テレビ受像機等の適当な表示装置に表示して内容を可視化することができる。
【００６１】
出力ファイルが動画フォーマットのファイルであった場合も、そのまま民生用のＤＶＤ再生装置で再生可能なフォーマットに変換して記録しているので、やはりＤＶＤ再生装置によって再生して可視化することができる。
さらに、動画検索用インデックスも併せて記録しているので、ＤＶＤ再生装置がそのインデックスの解釈機構を備えている場合には、そのインデックスを使用してページ毎等の検索を行うことも可能である。
従って、このプログラムを用いることにより、コンピュータのない環境でも内容を可視化することができる可搬性の高い情報記録媒体をコンピュータによって作成することができる。また、この実施形態の情報記録装置あるいは情報記録方法を用いても、同様な可搬性の高い情報記録媒体を作成することができる。
【００６２】
また、変換前の状態の出力ファイルも記録しているので、情報記録媒体を読み取る手段とその出力ファイルを扱うアプリケーションとを備えたコンピュータ環境がある場合には、元の出力ファイルにアクセスしてこれを編集することも可能である。
なお、以上説明した実施形態において、動画検索用インデックスの作成と記録及び、変換前の出力ファイルのデータの記録は必須ではなく、これらの手順は省略することもできる。また、文書ファイルや画像ファイルからの動画フォーマットデータの作成法も、一例であり、他の方法を用いるようにしてもよい。
【００６３】
また、複数の出力ファイルが一度に選択された場合に、それらを適当な順番あるいはユーザが指定した順番で、上記の手順によって記録させることができることも、もちろんである。そして、出力ファイルの中でユーザが選択した任意の部分のみを記録させるようにすることもできる。
さらにまた、ここでは選択された出力ファイルを特定のＤＶＤ＋ＲＷドライブに出力させる例について説明したが、複数のドライブから選択された任意のドライブに出力させるようにしてもよい。もちろん、ＤＶＤ＋ＲＷ以外のドライブを用いて、そのドライブに対応する情報記録媒体に情報を記録させることもできる。
【００６４】
例えば、上述のＤＶＤ＋ＲＷの他に書き込みが可能なＤＶＤとしては、１回だけ書き込みが可能な（ＤＶＤ  Ｗｒｉｔｅ  Ｏｎｃｅとも呼ばれる）ＤＶＤ−ＲＡＭ・ＷＯ（Ｗｒｉｔｅ  Ｏｎｃｅ），ＤＶＤ−Ｒ，ＤＶＤ＋Ｒや、複数回の書き込みが可能なＤＶＤ−ＲＡＭ，ＤＶＤ−ＲＷが知られており、これらの方式に対応したドライブや情報記録媒体を用いてもよい。この場合でもドライブの構成は概ね図１６に示したものと同様であるが、方式によってはウォブル信号の代わりにランドプリピットやプリピットを用いる点が異なる。
もちろん、これら以外の方式のものも使用可能であり、その際の記録の方式も、ＤＶＤ再生装置の認識可能な方式に限られず、ＣＤＶ（Ｃｏｍｐａｃｔ  Ｄｉｓｃ  Ｖｉｄｅｏ）等の他の再生装置によって認識されるものであってもよい。
さらに、ここでは情報記録装置２００を別体のＰＣ１とＤＶＤ＋ＲＷドライブ２によって構成した例について説明したが、コンピュータ部分とドライブ部分を一体に構成するようにしてもよい。また、この実施形態の情報記録方法を実施するための装置も、上述した構成の情報記録装置に限られるものではない。
【００６５】
また、この実施形態で説明したプログラムは、はじめから図３に示したＰＣ１に備えるＲＯＭあるいはハードディスク等の記憶手段に格納しておいてもよいが、記録媒体であるＣＤ−ＲＯＭあるいはフレキシブルディスク，ＳＲＡＭ，ＥＥＰＲＯＭ，メモリカード等の不揮発性記録媒体（メモリ）に記録して提供することもできる。そのメモリに記録されたプログラムをコンピュータにインストールしてＣＰＵに実行させるか、ＣＰＵにそのメモリからこのプログラムを読み出して実行させることにより、上述した各手順を実行させることができる。
さらに、コンピュータがネットワークに接続されている場合には、プログラムを記録した記録媒体を備える外部機器あるいはプログラムを記憶手段に記憶した外部機器からダウンロードして実行させることも可能である。
【００６６】
〔第２の実施形態：図５〕
次に、この発明のプログラム、情報記録装置及び情報記録方法の第２の実施形態について図５を用いて説明する。
図５はそのプログラムがコンピュータに実行させる処理の手順を示すフローチャートである。
このプログラムは、文書ファイルや画像ファイル、動画ファイル等を編集するアプリケーションプログラムの一部であり、そのアプリケーションプログラムによって作成したファイルあるいは編集中のファイルを出力する処理をコンピュータに行わせるためのプログラムである。そして、このプログラムは、パーソナルコンピュータ（ＰＣ）等のコンピュータを以下の各手段として機能させ、以下の各手順からなるこの実施形態の情報記録方法に係る処理を実行させる。
【００６７】
また、この実施形態の情報記録装置は、第１の実施形態の場合と同様、図３に示したようにＰＣ１及びそこに接続されたＤＶＤ＋ＲＷドライブ２によって構成され、円盤状のＤＶＤ＋ＲＷメディア３に対して情報の記録再生を行う装置である。そしてそのハードウェア構成は、第１の実施形態で説明したものと同様であるので、説明を省略する。また、実行する記録プログラムの違いにより、情報記録装置２００は第１の実施形態の情報記録装置とは異なる手段の機能を有し、異なる動作を行うが、符号は同一のものを用いることにする。以下の各実施形態においても、特に断らない限り同様とする。
なおここでも、第１の実施形態の場合と同様に、図３に示したような情報記録装置２００によって情報記録媒体である円盤状のＤＶＤ＋ＲＷメディア３に記録を行わせる動作を例にとって、このプログラムによって実行させる処理について説明する。また、このプログラムの構成も、第１の実施形態で説明した記録プログラム１０と同様である。
【００６８】
このプログラムが含まれるアプリケーションプログラムにおいて、ファイルの出力が選択されると、このプログラムの実行が開始され、このプログラムによって、情報記録装置２００を構成するＰＣ１が、図５のフローチャートに示すこの実施形態の情報記録方法に係る動作を開始する。そして、まずステップＳ１１でユーザによる出力ファイルの選択と、出力先の選択とを受け付ける選択受付手順を実行する。この処理は、ユーザインタフェース部１１による動作である。
【００６９】
ここで、出力ファイルの選択に関しては、編集中のファイルを自動的に選択する等して、自動的に行うようにしてもよい。また、出力先としては、ＤＶＤ＋ＲＷメディア３への出力すなわちＤＶＤ＋ＲＷドライブ２による出力と、紙媒体への出力すなわち図示しないプリンタによる印刷出力とが選択可能である。この選択の受け付けは、例えばＧＵＩを表示してユーザに入力を促すことによって行うことができる。
この選択受付手順においては、ＰＣ１の主制御装置１２２が選択受付手段として機能する。
【００７０】
次に、ステップＳ１２で、選択された出力先が情報記録媒体への書き込みを行うドライブであるか否かを判断する。ドライブであれば、ステップＳ２以降の処理を行うが、以降の処理は第１の実施形態で図１を用いて説明したものと同様であるので、説明を省略する。ただし、この実施形態においては、ステップＳ１２の処理も動画作成手順に含むものとする。
ステップＳ１２でドライブでなければ（プリンタであれば）、ステップＳ１３に進み、出力ファイルの印刷イメージデータを作成し、選択されたプリンタに転送して出力ファイルの内容を印刷出力させて終了する。このステップＳ１３の処理は、このプログラムとは別のプリンタドライバプログラムを起動して行う。
【００７１】
このようなプログラムによれば、ファイルの内容を、紙媒体への出力と同等の操作で、ＰＣ等のコンピュータがない環境でもＤＶＤ再生装置によって再生可能な形式の動画データとして情報記録媒体に記録することができる。また、この実施形態の情報記録装置によれば、この実施形態の情報記録方法を実行することにより、ファイルの内容を上記のように記録することができる。従って、このようなプログラム、情報記録装置あるいは情報記録方法を使用することにより、情報記録媒体への記録出力を紙媒体への印刷出力の代替手段として容易に用いることができるようになる。
なお、上記のプログラム、情報記録装置及び情報記録方法においても、第１の実施形態で説明した変更を同様に適用することができる。
【００７２】
さらに、ここでは上記のプログラムはアプリケーションプログラムの一部であるとして説明したが、情報記録媒体への記録を行う記録装置（ここではＤＶＤ＋ＲＷドライブ２）を駆動するためのデバイスドライバプログラムとして構成することもできる。その場合には、出力ファイル及び出力先の選択の受け付けは、オペレーティングシステムあるいはアプリケーションプログラムの機能によって実現され、出力先として記録装置が選択された場合に、このプログラムが選択受付手順の処理においてその結果を印刷（情報記録）命令と共に受け取ることになる。
また、第１の実施形態の場合と同様に、このプログラムが起動された場合に、選択受付手順においてＰＣ１にグラフィカルユーザインタフェース（ＧＵＩ）を表示させ、出力したいファイルとその出力先とをユーザに選択させるようにしてもよい。
【００７３】
以上説明したプログラムも、はじめから図３に示したＰＣ１に備えるＲＯＭあるいはハードディスク等の記憶手段に格納しておいてもよいが、第１の実施形態の場合と同様に不揮発性記録媒体（メモリ）に記録して提供することも可能であり、そのメモリに記録されたプログラムをコンピュータにインストールしてＣＰＵに実行させるか、ＣＰＵにそのメモリからこのプログラムを読み出して実行させることにより、上述した各手順を実行させることができる。
さらに、コンピュータがネットワークに接続されている場合には、プログラムを記録した記録媒体を備える外部機器あるいはプログラムを記憶手段に記憶した外部機器からダウンロードして実行させることも可能である。
【００７４】
〔第３の実施形態：図５，図６〕
次に、この発明のプログラム、情報記録装置及び情報記録方法の第３の実施形態について説明する。
図５はそのプログラムがコンピュータに実行させる処理の手順を示すフローチャート、図６はそのプログラムによる処理中の、文書ファイルの動画フォーマットデータへの変換処理について説明するための図である。
このプログラムは、第１の実施形態のプログラムと同じく、ＰＣ等のコンピュータを以下の各手段として機能させ、以下の各手順からなるこの実施形態の情報記録方法に係る処理を実行させるための記録プログラムである。そして、このプログラムの構成は、第１の実施形態で説明した記録プログラム１０と同様である。そこで、第１の実施形態の場合と同様に、図３に示したような情報記録装置２００によって情報記録媒体である円盤状のＤＶＤ＋ＲＷメディア３に記録を行わせる動作を例にとって、このプログラムによって実行させる処理について説明する。
【００７５】
この記録プログラム１０が起動されると、情報記録装置２００を構成するＰＣ１は、図６のフローチャートに示すこの実施形態の情報記録方法に係る動作を開始し、まずステップＳ２１でユーザによる出力ファイルの選択を受け付ける選択受付手順を実行する。このステップＳ２１の処理は、第１の実施形態で説明した図１のステップＳ１の処理と同様なものであるので説明は省略する。
次に、ステップＳ２２で選択された出力ファイルが動画フォーマットのデータを記録した動画ファイルか否かを判断する。この判断は、例えば、選択されたファイルの拡張子が「ａｖｉ」、「ｍｐｇ」等の、予め動画ファイルを示す拡張子として登録されているものと一致するかどうかによって行うことができる。この処理は、ファイル種類判断部１２による動作である。
【００７６】
ステップＳ２２で動画ファイルでなければ、すなわち文書ファイルあるいは画像ファイルであれば、ステップＳ２３に進んで出力ファイルの各ページごとの表示時間の指定を受け付ける。この処理は、ユーザインタフェース部１１による動作であり、この手順では、ＧＵＩを表示し、ステップＳ２１で選択された出力ファイルの各ページの画像を表示する時間を指定させる。この指定は、ユーザがページ毎に数値を入力して行うようにしてもよいし、所定のテンプレート等から自動あるいは手動で選択して行うようにしてもよい。
次に、ステップＳ２４に進んで、出力ファイルを、出力ファイルの内容をページ毎にステップＳ２３で指定された表示時間だけ表示する動画フォーマットのデータに変換する。この動画フォーマットとしては例えばＭＰＥＧ（Ｍｏｖｉｎｇ  Ｐｉｃｔｕｒｅ  Ｅｘｐｅｒｔｓ  Ｇｒｏｕｐ）２フォーマットを使用することができる。この処理は、動画フォーマットデータ変換部１３による動作である。
【００７７】
ここで、動画フォーマットのデータへの変換方法について説明する。
文書ファイルあるいは画像ファイルは、プリンタ等で印刷出力する場合には、ページ毎に印刷して出力することになる。そこで、図７に３ページの文書ファイルを動画フォーマットのデータに変換する例を示しているように、各ページを印刷する場合の印刷イメージを動画中の１枚の静止画（１フレーム）に変換する。
この１フレームは動画中では例えば１／３０秒間の表示内容に相当する。そして、各ページの静止画をそのページについて指定された表示時間だけ連続して表示させるようなデータを生成する。さらにこれらのデータをマージ（結合）して一つの動画フォーマットのデータを生成することにより、元の文書ファイルを、その内容をページ毎に指定された表示時間だけ表示する動画フォーマットのデータに変換することができる。
以上のステップＳ２２乃至Ｓ２４の処理が、動画作成手順の処理である。この動画作成手順においては、ＰＣ１の主制御装置１２２が動画作成手段として機能する。
【００７８】
ステップＳ２４の処理の終了後、あるいはステップＳ２２で動画フォーマットのファイルであった場合には、ステップＳ２５に進み、動画検索用インデックスの作成処理を行うが、以後ステップＳ２５乃至Ｓ２８の処理は、第１の実施形態で図１を用いて説明したステップＳ４乃至Ｓ７の処理と同様であるので説明を省略する。
【００７９】
以上のように、この記録プログラム１０によれば、ＰＣ１に、ユーザが選択した出力ファイルを、その出力ファイルが文書ファイル又は画像ファイルである場合にはその内容をページ毎に指定された表示時間だけ表示する動画データとしてＤＶＤ＋ＲＷメディア３に記録する処理を行わせることができる。また、この実施形態の情報記録装置によれば、この実施形態の情報記録方法を実行することにより、ユーザが選択した出力ファイルを上記のように記録することができる。そして、この動画データは、民生用のＤＶＤ再生装置で再生可能なフォーマットで記録されているので、この処理によって作成されたＤＶＤ＋ＲＷメディア３は、ＰＣ１等のコンピュータがない環境でもＤＶＤ再生装置によって再生可能であり、テレビ受像機等の適当な表示装置に表示して内容を可視化することができる。
【００８０】
そして、第１の実施形態のプログラム、情報記録装置及び情報記録方法と同様な効果を奏し、それに加え、記録する出力ファイルが文書ファイルか画像ファイルであった場合には、その各ページの表示時間を指定することができるので、内容の用途に応じて必要な時間だけ各ページを表示させることのできる情報記録媒体を作成することができる。従って、記録内容を再生しながらページによって説明時間が異なるプレゼンテーションを行う場合等にも、作成した情報記録媒体を有効に活用することができ、利便性が高い。
また、第１の実施形態の場合と同様な変形を適用することも可能である。
【００８１】
以上説明したプログラムも、はじめから図３に示したＰＣ１に備えるＲＯＭあるいはハードディスク等の記憶手段に格納しておいてもよいが、第１及び第２の実施形態の場合と同様に、不揮発性記録媒体（メモリ）に記録して提供したり、ネットワークによって接続された装置からダウンロードさせたりすることも可能である。
【００８２】
〔第４の実施形態：図８，図９〕
次に、この発明のプログラム、情報記録装置及び情報記録方法の第４の実施形態について説明する。
図８はそのプログラムがコンピュータに実行させる処理の手順を示すフローチャート、図９はそのプログラムによる処理中の、動画フォーマットデータに対する章分け処理について説明するための図である。なお、図８において、図６のフローチャートに示した処理と同様な部分は、図６と同じステップ番号を付して示す。
【００８３】
このプログラムも、ＰＣ等のコンピュータを以下の各手段として機能させ、以下の各手順からなるこの実施形態の情報記録方法に係る処理を実行させるための記録プログラムである。そして、このプログラムの構成は、第１及び第３の実施形態で説明した記録プログラム１０と同様である。そこで、第１及び第３の実施形態の場合と同様に、図３に示したような情報記録装置２００によって情報記録媒体である円盤状のＤＶＤ＋ＲＷメディア３に記録を行わせる動作を例にとって、このプログラムによって実行させる処理について説明する。
【００８４】
この記録プログラム１０が起動されると、情報記録装置２００を構成するＰＣ１は、図８のフローチャートに示すこの実施形態の情報記録方法に係る動作を開始する。ステップＳ２１とステップＳ２２の処理は第３の実施形態の場合と同様である。ステップＳ２２で動画ファイルであった場合にステップＳ２５に進むことも第３の実施形態の場合と同様である。
ステップＳ２２で動画ファイルでなければ、ステップＳＡに進んで、出力ファイルを、出力ファイルの内容をページ毎に表示する動画フォーマットのデータに変換する。これは、第１の実施形態で説明した図１のステップＳ３の処理と同様であるので、詳細な説明は省略する。なお、各ページの内容を表示する時間については、予め設定しておくようにしても、ファイルの選択時等にユーザに設定させるようにしてもよい。
【００８５】
この変換処理が終了すると、ステップＳＢに進んで章分けの指定を受け付ける。この指定は、出力ファイルの１ページ分の表示あるいは連続する複数のページ分の表示毎に行うものとするが、ユーザに手動で章分けを行う箇所を入力させるようにしてもよいし、１ページ分の表示毎あるいは所定ページ分の表示毎に自動で章分けを指定するようにしてもよい。このステップＳＢの動作は、ユーザインタフェース部１１（手動指定の場合）あるいは書き込みデータ作成部１５（自動指定の場合）による動作である。
なお、この章分けは、動画データを編集段階でチャプタあるいはパートオブタイトル（ＰＴＴ）と呼ばれる区分に分けることによって実現することができるものであり、このような章分けがなされた動画をＤＶＤ再生装置で再生する場合、チャプタ番号を指定して頭出しを行うことができる。
【００８６】
ステップＳＢの処理の後、あるいはステップＳ２２で動画ファイルであった場合、ステップＳ２５で第１の実施形態の場合と同様に動画検索用インデックスを作成し、ステップＳＣに進む。
ステップＳＣでは、処理中の出力ファイルに章分けの指定があるか否か判断する。出力ファイルが文書ファイル又は画像ファイルであった場合には、ステップＳＢで章分けの指定が行われているので、指定があると判断してステップＳＤに進む。
【００８７】
ステップＳＤでは、ステップＳＡの変換によって生成された動画フォーマットのデータを、ＤＶＤ再生用アプリケーション（ＤＶＤ再生装置による再生）に対応したフォーマットのデータに変換すると共に、ステップＳＢで指定された通り出力ファイルの１ページ分の表示あるいは連続する複数のページ分の表示毎に章分けを設定する。
図９に、３ページの文書ファイルを動画フォーマットに変換したものに１ページ分の表示毎の章分けを設定する例を示すが、章分けは、例えばこのように動画データのうち各ページの表示を行う部分をそれぞれチャプタとして定義することによって行うことができる。なお、データのフォーマットとしては、例えばＤＶＤ−Ｖｉｄｅｏフォーマットを用いることができ、ＶＯＢファイルは、このフォーマットにおいて画像と音声を格納するファイルである。
このステップＳＤの処理が、章分け手順の処理である。この章分け手順においては、ＰＣ１の主制御装置１２２が章分け手段として機能する。そして、ステップＳＤでの処理後、ステップＳ２７へ進む。
【００８８】
出力ファイルが動画ファイルであった場合には、ステップＳＢの処理は行われていないので、ステップＳＣでは指定が行われていないと判断し、ステップＳ２６に進む。そして、第１の実施形態の場合と同様にそのファイルの動画フォーマットのデータを、ＤＶＤ再生用アプリケーションに対応したフォーマットのデータに変換して、ステップＳ２７へ進む。
ステップＳ２７では、ステップＳ２６あるいはステップＳＤの変換で生成したデータ、ステップＳ２５で作成したインデックスデータ及び、ステップＳ２１で選択された出力ファイルのデータを、ＤＶＤ＋ＲＷメディア３に書き込むための論理フォーマットのデータに変換する。フォーマット等については第１及び第３の実施形態の場合と同様である。
これらのステップＳＣ，ＳＤ及びＳ２６，Ｓ２７の処理は、書き込みデータ作成部１５による動作である。
【００８９】
その後、ステップＳ２８で、ステップＳ２７の変換で生成したデータをＤＶＤ＋ＲＷメディア３に書き込ませて終了する。この処理は、データ送信部１６による動作である。また、ステップＳ２７及びＳ２８の処理が、記録手順の処理である。この記録手順においては、主制御装置１２２及びＤＶＤ＋ＲＷドライブ２が記録手段として機能する。
従って、この記録プログラム１０によれば、ＰＣ１に、ユーザが選択した出力ファイルを、その出力ファイルが文書ファイル又は画像ファイルである場合には、内容をページ毎に一定時間表示し、出力ファイルの１ページ分の表示あるいは連続する複数のページ分の表示毎に章分けが設定された動画データとしてＤＶＤ＋ＲＷメディア３に記録する処理を行わせることができる。また、この実施形態の情報記録装置によれば、この実施形態の情報記録方法を実行することにより、ユーザが選択した出力ファイルを上記のように記録することができる。そして、この動画データは、第１の実施形態の場合と同様に、ＤＶＤ再生装置によってテレビ受像機等の適当な表示装置に表示させて内容を可視化することができる。
【００９０】
従って、このプログラムを用いることにより、コンピュータのない環境でも内容を可視化することができる可搬性の高い情報記録媒体をコンピュータによって作成することができる。また、この実施形態の情報記録装置あるいは情報記録方法を用いても、同様な可搬性の高い情報記録媒体を作成することができる。
また、記録する出力ファイルが文書ファイルか画像ファイルであった場合には、章分けを設定しているので、ＤＶＤ再生装置での再生時にこの章を指定した頭出しを行うことができ、容易に所望のページを表示させることができる。
再生時に指定したチャプタにジャンプする機能は、ＤＶＤ再生装置において極めて基本的な機能であるので、この章分けを動画データをチャプタに分けることによって行えば、ＭＰＥＧ７規格に対応していないためインデックスの解釈機構を備えていないもの等も含め、ほとんどの装置で上記の頭出しを行うことができる。また、その操作も一般的に容易である。
表示時間に関する点以外の他の効果や変更例、不揮発性記録媒体に記録して提供することもできる点等は、第１及び第３の実施形態の場合と同様である。
【００９１】
〔第５の実施形態：図１０〕
次に、この発明のプログラム、情報記録装置及び情報記録方法の第５の実施形態について図１０を用いて説明する。
図１０は、そのプログラムがコンピュータに実行させる処理の手順を示すフローチャートである。
このプログラムは、第２の実施形態のプログラムと同様、アプリケーションプログラムの一部であり、そのアプリケーションプログラムによって作成したファイルあるいは編集中のファイルを出力する処理をコンピュータに行わせるためのプログラムである。そして、このプログラムは、パーソナルコンピュータ（ＰＣ）等のコンピュータを以下の各手段として機能させ、以下の各手順からなるこの実施形態の情報記録方法に係る処理を実行させる。
【００９２】
なおここでも、第１及び第３の実施形態の場合と同様に、図３に示したような情報記録装置２００によって情報記録媒体である円盤状のＤＶＤ＋ＲＷメディア３に記録を行わせる動作を例にとって、このプログラムによって実行させる処理について説明する。また、このプログラムの構成も、第１及び第３の実施形態で説明した記録プログラム１０と同様である。
【００９３】
このプログラムが含まれるアプリケーションプログラムにおいて、ファイルの出力が選択されると、このプログラムの実行が開始され、このプログラムによって、情報記録装置２００を構成するＰＣ１が図１０のフローチャートに示すこの実施形態の情報記録方法に係る動作を開始する。そして、まずステップＳ３１でユーザによる出力ファイルの選択と、出力先の選択とを受け付ける選択受付手順を実行する。この処理は、ユーザインタフェース部１１による動作である。
【００９４】
ここで、出力ファイルの選択に関しては、編集中のファイルを自動的に選択する等して、自動的に行うようにしてもよい。また、出力先としては、ＤＶＤ＋ＲＷメディア３への出力すなわちＤＶＤ＋ＲＷドライブ２による出力と、紙媒体への出力すなわち図示しないプリンタによる印刷出力とが選択可能である。この選択の受け付けは、例えばＧＵＩを表示してユーザに入力を促すことによって行うことができる。
この選択受付手順においては、ＰＣ１の主制御装置１２２が選択受付手段として機能する。
【００９５】
次に、ステップＳ３２で、選択された出力先が情報記録媒体への書き込みを行うドライブであるか否かを判断する。ドライブであれば、ステップＳ２２以降の処理を行うが、以降の処理は第３の実施形態で図６を用いて説明したものと同様であるので、説明を省略する。ただし、この実施形態においては、ステップＳ３２の処理も動画作成手順に含むものとする。
ステップＳ３２でドライブでなければ（プリンタであれば）、ステップＳ３３に進み、出力ファイルの印刷イメージデータを作成し、選択されたプリンタに転送して出力ファイルの内容を印刷出力させて終了する。このステップＳ３３の処理は、このプログラムとは別のプリンタドライバプログラムを起動して行う。
【００９６】
このようなプログラムによれば、ファイルの内容を、紙媒体への出力と同等の操作で、ＰＣ等のコンピュータがない環境でもＤＶＤ再生装置によって再生可能な形式の動画データとして情報記録媒体に記録することができる。また、この実施形態の情報記録装置によれば、この実施形態の情報記録方法を実行することにより、ファイルの内容を上記のように記録することができる。従って、このようなプログラム、情報記録装置あるいは情報記録方法を使用することにより、情報記録媒体への記録出力を紙媒体への印刷出力の代替手段として容易に用いることができるようになる。
【００９７】
なお、このプログラム、情報記録装置及び情報記録方法においても、第１乃至第３の実施形態で説明した変更を同様に適用することができる。また、プログラムを不揮発性記録媒体に記録して提供することもできる点も、これらの実施形態の場合と同様である。
また、ステップＳ２２以降の処理について、第３の実施形態で説明したものに代えて、第４の実施形態で図８を用いて説明したステップＳ２２以降の処理を実行するようにしてもよい。このようにすれば、第４の実施形態で説明した効果を得ることができる。
【００９８】
〔第６の実施形態：図１１乃至図１３〕
次に、この発明のプログラム、情報記録装置及び情報記録方法の第６の実施形態について説明する。
図１１及び図１２はそのプログラムがコンピュータに実行させる一連の処理の手順を示すフローチャート、図１３はそのプログラムの構成を示す図である。なお、図１１及び図１２において、図６のフローチャートに示した処理と同様な部分は、図６と同じステップ番号を付して示す。
このプログラムは、第１の実施形態のプログラムと同じく、ＰＣ等のコンピュータを以下の各手段として機能させ、以下の各手順からなるこの実施形態の情報記録方法に係る処理を実行させるための記録プログラムである。そして、第１の実施形態の場合と同様に、図３に示したような情報記録装置２００によって情報記録媒体である円盤状のＤＶＤ＋ＲＷメディア３に記録を行わせる動作を例にとって、このプログラムによって実行させる処理について説明する。
【００９９】
この記録プログラム１００は、図１３に示すように、図２に示した記録プログラム１０のユーザインタフェース部１１，ファイル種類判断部１２，動画フォーマットデータ変換部１３，動画検索用インデックス作成部１４，書き込みデータ作成部１５，データ送信部１６に加え、言語翻訳変換部１０１，音声フォーマットデータ変換部１０２，字幕データ変換部１０３，音声検索用インデックス作成部１０４，設定画面作成部１０５からなっており、ＰＣ１によってＤＶＤ＋ＲＷドライブ２の制御を行わせるためのデバイスドライバプログラムである。
【０１００】
この記録プログラム１００が起動されると、情報記録装置２００を構成するＰＣ１は、図１１及び図１２のフローチャートに示すこの実施形態の情報記録方法に係る動作を開始するが、ステップＳ２１乃至Ｓ２４の処理は第３の実施形態で図６を用いて説明したものと同様であるので、説明を省略する。ただし、ステップＳ２２で動画フォーマットのファイルであった場合は、そのまま図１２のステップＳ４７に進む。
ステップＳ２１で選択された出力ファイルが動画ファイルでなければ、処理はステップＳ２２からステップＳ２３，Ｓ２４と進み、ステップＳ４１へ進む。
【０１０１】
ステップＳ４１では、選択されたファイルが文書ファイルであるか否か判断する。文書ファイルでなければそのまま図１２のステップＳ４７に進むが、文書ファイルあれば、ステップＳ４２に進んで、出力ファイルに含まれるテキスト情報をもとにそれを読み上げる音声のデータを作成し、音声フォーマットのデータとする。すなわち、出力ファイルに含まれるテキスト情報を音声フォーマットのデータに変換する。この処理は、音声フォーマットデータ変換部１０２による動作であり、このステップＳ４２の処理が音声作成手順の処理である。なお、音声データの作成については、適宜公知の音声合成法を採用すればよい。また、音声データの生成処理そのものはこのプログラムの処理に含めず、このプログラムが他のアプリケーションに指示して実行させ、その結果を取得するようにしてもよい。また、音声フォーマットとしては例えばＭＰ３（ＭＰＥＧ  Ａｕｄｉｏ  Ｌａｙｅｒ−３）フォーマットあるいはＷａｖｅフォーマットを用いることができる。
この音声作成手順においては、ＰＣ１の主制御装置１２２が音声作成手段として機能する。
【０１０２】
ステップＳ４２の処理が終了すると、ステップＳ４３に進み、出力ファイルに含まれるテキスト情報をもとにその内容の字幕データを作成する。すなわち、出力ファイルに含まれるテキスト情報を字幕データに変換する。
字幕データとしては、例えば、ＤＶＤ再生装置の字幕表示機能を用いて字幕を表示させるための字幕フォーマットのデータを作成すればよく、テキスト情報の内容を所定時間毎に切り換えて次々と表示できるようにすればよい。この字幕フォーマットとしては例えばＴｅｘｔフォーマットを用いることができる。このとき、画面の端部に数行ずつ表示するようなデータを作成してもよいし、画面全体に字幕を表示するようなデータを作成してもよい。また、字幕の切り換え時点毎に章分けや検索のためのマーキングデータを挿入する等して、ＤＶＤ再生装置の検索機能等を使用して字幕を１画面分ずつ順次切り換えて表示できるようにするとよい。
【０１０３】
また、字幕データとして、テキスト情報の文字列が所定の速度でスクロールして画面に表示されるような動画のデータを作成してもよい。このデータは、ＭＰＥＧ２等の動画フォーマットで作成することになる。
さらに、これらの複数の形式の字幕データを作成し、再生時に任意に選択できるようにしてもよい。
以上のステップＳ４３の処理は、字幕データ変換部１０３による動作であり、このステップＳ４３の処理が第１の字幕作成手順の処理である。この第１の字幕作成手順においては、主制御装置１２２が第１の字幕作成手段として機能する。
【０１０４】
次に、ステップＳ４４に進み、出力ファイルに含まれるテキスト情報を他言語に翻訳する。例えば日本語から英語、あるいはその逆等である。この処理は、言語翻訳変換部１０１による動作である。なお、翻訳処理については、適宜公知の自動翻訳法を採用すればよい。また、翻訳処理自体はこのプログラムの処理に含めず、このプログラムが他のアプリケーションに指示して実行させ、その結果を取得するようにしてもよい。その後、ステップＳ４５で翻訳後のテキスト情報をもとにその内容の字幕データを作成する。すなわち、翻訳後のテキスト情報を字幕データに変換する。この処理は、字幕データ変換部１０３による動作である。また、これらのステップＳ４４及びＳ４５の処理が第２の字幕作成手順の処理である。この第２の字幕作成手順においては、主制御装置１２２が第２の字幕作成手段として機能する。
【０１０５】
次に、ステップＳ４６で字幕の言語を選択するための設定画面のデータを作成する。この設定画面は、ステップＳ４３で作成した字幕とステップＳ４５で作成した字幕のいずれを表示させるかあるいは表示させないかをＤＶＤ再生装置の機能を利用してユーザに選択させるためのものであり、その選択を行わせるために必要なデータをここで作成する。この処理は、設定画面作成部１０５による動作であり、このステップＳ４６の処理が設定画面作成手順の処理である。この設定画面作成手順においては、主制御装置１２２が設定画面作成手段として機能する。
ステップＳ４６の処理が終了すると、図１２のステップＳ４７に進む。
【０１０６】
図１２のステップＳ４７では、ステップＳ２４で作成したかあるいはステップＳ２１で選択された動画フォーマットのデータについて、そのデータによる動画の内容を検索するための動画検索用インデックスを作成し、ステップＳ４２で作成した音声フォーマットのデータについて、そのデータによる音声の内容を検索するための音声検索用インデックスを作成する処理を行う。この処理は、動画検索用インデックス作成部１４及び音声検索用インデックス作成部１０４による動作である。
【０１０７】
動画・音声検索用インデックスのデータは、例えばＭＰＥＧ７規格に従って後付けの動的インデックス情報として作成することができる。また、動画・音声検索用インデックスの作成は、自動で行ってもよいし、ＧＵＩを表示してユーザからの指示を受け付け、その指示に従って行うようにしてもよい。自動で作成する場合には、例えば、ステップＳ２４の変換によって生成したデータについて作成する場合には、ページの切り替わりの位置に表示内容が変わるというイベントデータを付加し、これをインデックスデータとして登録するようにするとよい。
なお、ステップＳ２１で選択された出力ファイルに文書ファイルが含まれておらず、ステップＳ４２で音声フォーマットのデータが生成されていない場合には、動画検索用インデックスのみを作成すればよい。以下の処理においても、出力ファイルに文書ファイルが含まれておらず、音声や字幕等のデータが生成されていない場合には、それらのデータについての処理は行わないものとする。
【０１０８】
次に、ステップＳ４８で、出力ファイルとして選択されるかあるいはステップＳ２４の変換によって生成された動画フォーマットのデータと、ステップＳ４２の変換によって生成された音声フォーマットのデータと、ステップＳ４３及びＳ４５の変換によって生成された字幕データとを、ＤＶＤ再生用アプリケーション（ＤＶＤ再生装置による再生）に対応したフォーマットのデータに変換する。このフォーマットとしては、例えばＤＶＤ−Ｖｉｄｅｏフォーマットを用いることができる。
【０１０９】
そして、ステップＳ４９で、ステップＳ４８の変換で生成したデータ、ステップＳ４７で作成した動画・音声検索用インデックスのデータ及び、ステップＳ２１で選択された出力ファイルのデータを、ＤＶＤ＋ＲＷメディア３に書き込むための論理フォーマットのデータに変換する。この論理フォーマットとしては、例えばＵＤＦ（Ｕｎｉｖｅｒｓａｌ  Ｄｉｓｋ  Ｆｏｒｍａｔ）Ｖｅｒ．１．０２フォーマットを用いることができる。なお、この処理で変換する出力ファイルは、ステップＳ２４における動画フォーマットのデータへの変換前の状態の元データである。
これらのステップＳ４８及びステップＳ４９の処理は、書き込みデータ作成部１５による動作である。
【０１１０】
その後、ステップＳ２８で、ステップＳ４９の変換で生成したデータをＤＶＤ＋ＲＷドライブ２に送信し、ＤＶＤ＋ＲＷドライブ２を駆動してそのデータをＤＶＤ＋ＲＷメディア３に書き込ませて終了する。この処理は、データ送信部１６による動作である。また、ステップＳ４８乃至Ｓ２８の処理が、記録手順の処理である。この記録手順においては、主制御装置１２２及びＤＶＤ＋ＲＷドライブ２が記録手段として機能する。
【０１１１】
従って、この記録プログラム１００によれば、ＰＣ１に、ユーザが選択した出力ファイルを、その出力ファイルが文書ファイル又は画像ファイルである場合には、その内容をページ毎に指定された表示時間だけ表示する動画データとしてＤＶＤ＋ＲＷメディア３に記録する処理を行わせることができる。また、この実施形態の情報記録装置によれば、この実施形態の情報記録方法を実行することにより、ユーザが選択した出力ファイルを上記のように記録することができる。そして、この動画データは、民生用のＤＶＤ再生装置で再生可能なフォーマットで記録されているので、この処理によって作成されたＤＶＤ＋ＲＷメディア３は、ＰＣ１等のコンピュータがない環境でもＤＶＤ再生装置によって再生可能であり、テレビ受像機等の適当な表示装置に表示して内容を可視化することができる。
【０１１２】
そして、第１及び第３の実施形態のプログラム、情報記録装置及び情報記録方法と同様な効果を奏する。さらに、出力ファイルに文書ファイルが含まれている場合には、そこに含まれるテキスト情報を音声フォーマットのデータにも変換して記録しているので、出力ファイルの内容をＤＶＤ再生装置によって音声としても再生可能であり、スピーカ等の適当な発音装置によって内容を可聴化することができる。従って、このプログラムを用いることにより、コンピュータのない環境でも内容を可聴化することができる可搬性の高い情報記録媒体をコンピュータによって作成することができる。また、この実施形態の情報記録装置あるいは情報記録方法を用いても、同様な可搬性の高い情報記録媒体を作成することができる。
さらに、音声検索用インデックスも併せて記録しているので、ＤＶＤ再生装置がそのインデックスの解釈機構を備えている場合には、そのインデックスを使用して例えば文書１ページ分の内容毎等の検索を行うことも可能である。
【０１１３】
また、テキスト情報を字幕データにも変換して記録しているので、これを再生して表示装置に表示させることにより、ＤＶＤ再生装置で再生する際の内容の視認性を向上させることができる。また、他の言語への翻訳を行ってその言語での字幕のデータも記録しているので、例えば日本語の文書ファイルをもとに英語の字幕付きＤＶＤビデオを容易に作成することができ、元の出力ファイルの言語とは異なる言語を使用する地域の利用者に対しても内容の理解し易い記録媒体を作成することができる。
このような第６の実施形態のプログラム、情報記録装置及び情報記録方法において、第１の実施形態の場合と同様な変形を適用することも可能である。
【０１１４】
このほか、ステップＳ４４における翻訳は、１つの言語への翻訳とは限らず、例えば日本語から英語とフランス語等、複数の言語への翻訳でも構わない。その場合には、ステップＳ４５において、翻訳先の全ての言語について字幕データを生成するものとする。
また、ここでは、音声フォーマットへの変換、字幕データへの変換、他言語の字幕データへの変換の全てを行う例についても説明したが、これらは必ずしも全て行う必要はなく、任意に選択して行うようにしてもよい。その場合でも、各々の効果は問題なく発揮される。なお、字幕データを１つの言語でしか生成しない場合には、ステップＳ４６で設定画面のデータを作成する必要はない。また、インデックスの作成も必須ではない。
【０１１５】
以上説明したプログラムも、はじめから図３に示したＰＣ１に備えるＲＯＭあるいはハードディスク等の記憶手段に格納しておいてもよいが、上述した各実施形態の場合と同様に、不揮発性記録媒体（メモリ）に記録して提供したり、ネットワークによって接続された装置からダウンロードさせたりすることも可能である。
【０１１６】
〔第７の実施形態：図１４，図１５〕
次に、この発明のプログラム、情報記録装置及び情報記録方法の第７の実施形態について説明する。
図１４はそのプログラムがコンピュータに実行させる処理の手順を示すフローチャート、図１５はそのプログラムの構成を示す図である。
このプログラムは、第１の実施形態のプログラムと同じく、ＰＣ等のコンピュータを以下の各手段として機能させ、以下の各手順からなるこの実施形態の情報記録方法に係る処理を実行させるための記録プログラムである。しかし、第１の実施形態の場合とは異なり、図３に示すような情報記録装置２００によって情報記録媒体である円盤状のＣＤ−Ｒメディアに記録を行わせる動作を例にとって、このプログラムによって実行させる処理について説明する。
なお、この実施形態では、情報記録装置２００はＰＣ１によってＤＶＤ＋ＲＷドライブ２の動作を制御して円盤状のＣＤ−Ｒメディアに対して情報の記録再生を行うことができるものとする。
【０１１７】
この記録プログラム１１０は、図１５に示すように、ユーザインタフェース部１１，ファイル種類判断部１２，音声フォーマットデータ変換部１０２，音声検索用インデックス作成部１０４，書き込みデータ作成部１５，データ送信部１６からなっており、ＰＣ１によってＤＶＤ＋ＲＷドライブ２の制御を行わせるためのデバイスドライバプログラムである。
【０１１８】
この記録プログラム１１０が起動されると、情報記録装置２００を構成するＰＣ１は、図１４のフローチャートに示すこの実施形態の情報記録方法に係る動作を開始するが、ステップＳ５１の処理は第１の実施形態で説明した図１のステップＳ１と同様であるので、説明を省略する。
次のステップＳ５２では、ステップＳ５１で選択された文書ファイルか否か判断する。文書ファイルでなければ、以降の処理を行うことができないのでそのまま終了するが、文書ファイルあれば、ステップＳ５３に進んで、第６の実施形態で説明した図１１のステップＳ４２の場合と同様に、出力ファイルに含まれるテキスト情報を音声フォーマットのデータに変換する。
そして、ステップＳ５４で、ステップＳ５３で変換した音声フォーマットのデータについて、そのデータによる音声の内容を検索するための音声検索用インデックスの作成処理を行う。この処理は、音声検索用インデックス作成部１０４による動作である。
【０１１９】
次のステップＳ５５では、ステップＳ５３の変換によって生成された音声フォーマットのデータを、音楽ＣＤ再生用アプリケーション（音楽ＣＤ再生装置による再生）に対応したフォーマットのデータに変換する。このフォーマットとしては、例えばＣＤ−ＤＡ（Ｃｏｍｐａｃｔ  Ｄｉｓｃ  Ｄｉｇｉｔａｌ  Ａｕｄｉｏ）を用いることができる。そして、ステップＳ５６で、ステップＳ５５の変換で生成したデータとステップＳ５４で作成した音声検索用インデックスのデータを、ＣＤ−Ｒメディアに書き込むための論理フォーマットのデータに変換する。この論理フォーマットとしては、例えばＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）９６６０フォーマット、ＵＤＦ（Ｕｎｉｖｅｒｓａｌ  Ｄｉｓｋ  Ｆｏｒｍａｔ）Ｖｅｒ．  １．０４フォーマット、あるいはＵＤＦ  Ｖｅｒ．  １．５フォーマット等を用いることができる。
これらのステップＳ５４及びステップＳ５５の処理は、書き込みデータ作成部１５による動作である。
【０１２０】
その後、ステップＳ５６で、ステップＳ５５の変換で生成したデータをＤＶＤ＋ＲＷドライブ２に送信し、ＤＶＤ＋ＲＷドライブ２を駆動してそのデータをＣＤ−Ｒメディアに書き込ませて終了する。この処理は、データ送信部１６による動作である。また、ステップＳ５５乃至Ｓ５７の処理が、記録手順の処理である。この記録手順においては、ＰＣ１の主制御装置１２２及びＤＶＤ＋ＲＷドライブ２が記録手段として機能する。
【０１２１】
従って、この記録プログラム１１０によれば、ＰＣ１に、ユーザが選択した出力ファイルを、その出力ファイルが文書ファイルである場合にはそこに含まれるテキスト情報を読み上げる音声データとしてＣＤ−Ｒメディアに記録する処理を行わせることができる。また、この実施形態の情報記録装置によれば、この実施形態の情報記録方法を実行することにより、ユーザが選択した出力ファイルを上記のように記録することができる。そして、この音声データは、音楽ＣＤの再生装置で再生可能なフォーマットで記録されているので、この処理によって作成されたＣＤ−Ｒメディアは、ＰＣ１等のコンピュータがない環境でも音楽ＣＤ再生装置によって再生可能であり、スピーカ等の適当な発音装置によって内容を可聴化することができる。
【０１２２】
さらに、音声検索用インデックスも合わせて記録しているので、ＣＤ再生装置がそのインデックスの解釈機構を備えている場合には、そのインデックスを使用して例えば文書１ページ分の内容毎等の検索を行うことも可能である。
従って、このプログラムを用いることにより、コンピュータのない環境でも内容を可聴化することができる可搬性の高い情報記録媒体をコンピュータによって作成することができる。また、この実施形態の情報記録装置あるいは情報記録方法を用いても、同様な可搬性の高い情報記録媒体を作成することができる。
なお、第１の実施形態等の場合と同様に、変換前の状態の出力ファイルも記録するようにすれば、情報記録媒体を読み取る手段とその出力ファイルを扱うアプリケーションとを備えたコンピュータ環境がある場合には、元の出力ファイルにアクセスしてこれを編集することも可能である。この場合には、変換前の状態の出力ファイルは、データ記録用のフォーマットで書き込みを行うことになる。
また、音声検索用インデックスの作成と記録は必須ではなく、これらの手順は省略することもできる。
このほか、第１の実施形態の場合と同様な変形を適用することもできる。
【０１２３】
以上説明したプログラムも、はじめから図３に示したＰＣ１に備えるＲＯＭあるいはハードディスク等の記憶手段に格納しておいてもよいが、上述した各実施形態の場合と同様に、不揮発性記録媒体（メモリ）に記録して提供したり、ネットワークによって接続された装置からダウンロードさせたりすることも可能である。
【０１２４】
【発明の効果】
以上説明してきたように、この発明のプログラムによれば、コンピュータのない環境でも内容を可視化及び可聴化することができる可搬性の高い情報記録媒体をコンピュータに作成させることができる。
また、この発明の記録媒体によれば、上記のプログラムを記憶していないコンピュータにそのプログラムを記憶させ、その実行によって上記の可搬性の高い情報記録媒体を作成させることができる。
また、この発明の情報記録装置及び情報記録方法によれば、上記の可搬性の高い情報記録媒体を作成することができる。
【図面の簡単な説明】
【図１】この発明の第１の実施形態のプログラムがコンピュータに実行させる処理の手順を示すフローチャートである。
【図２】そのプログラムの構成を示す図である。
【図３】そのプログラムを実行するコンピュータを備えたこの発明の情報記録装置の構成例を示す図である。
【図４】そのプログラムによる処理中の、文書ファイルの動画フォーマットデータへの変換処理について説明するための図である。
【図５】この発明の第２の実施形態のプログラムがコンピュータに実行させる処理の手順を示すフローチャートである。
【図６】この発明の第３の実施形態のプログラムがコンピュータに実行させる処理の手順を示すフローチャートである。
【図７】そのプログラムによる処理中の、文書ファイルの動画フォーマットデータへの変換処理について説明するための図である。
【図８】この発明の第４の実施形態のプログラムがコンピュータに実行させる処理の手順を示すフローチャートである。
【図９】そのプログラムによる処理中の、動画フォーマットデータに対する章分け処理について説明するための図である。
【図１０】この発明の第５の実施形態のプログラムがコンピュータに実行させる処理の手順を示すフローチャートである。
【図１１】この発明の第６の実施形態のプログラムがコンピュータに実行させる処理の手順を示すフローチャートである。
【図１２】図１１の続きの手順を示すフローチャートである。
【図１３】この発明の第６の実施形態のプログラムの構成を示す図である。
【図１４】この発明の第７の実施形態のプログラムがコンピュータに実行させる処理の手順を示すフローチャートである。
【図１５】そのプログラムの構成を示す図である。
【図１６】図３に示した情報記録装置を構成するＤＶＤ＋ＲＷドライブの構成を示すブロック図である。
【図１７】同じくＰＣの構成を示すブロック図である。
【符号の説明】
１：ＰＣ                  ２：ＤＶＤ＋ＲＷドライブ
３：ＤＶＤ＋ＲＷメディア
１０，１００，１１０：記録プログラム
１１：ユーザインタフェース部
１２：ファイル種類判断部
１３：動画フォーマットデータ変換部
１４：動画検索用インデックス作成部
１５：書き込みデータ作成部  １６：データ送信部
１０１：言語翻訳変換部
１０２：音声フォーマットデータ変換部
１０３：字幕データ変換部
１０４：音声検索用インデックス作成部
１０５：設定画面作成部      １２１：入力装置
１２２：主制御装置          １２３：表示装置
１２４：記録装置            １２５：インタフェース
２００：情報記録装置
【図１】
2004153299.tif 000003
【図２】
2004153299.tif 000004
【図３】
2004153299.tif 000005
【図４】
2004153299.tif 000006
【図５】
2004153299.tif 000007
【図６】
2004153299.tif 000008
【図７】
2004153299.tif 000009
【図８】
2004153299.tif 000010
【図９】
2004153299.tif 000011
【図１０】
2004153299.tif 000012
【図１１】
2004153299.tif 000013
【図１２】
2004153299.tif 000014
【図１３】
2004153299.tif 000015
【図１４】
2004153299.tif 000016
【図１５】
2004153299.tif 000017
【図１６】
2004153299.tif 000018
【図１７】
2004153299.tif 000019